(57)【要約】【課題】高温環境下や高湿環境下においても反りや歪みが生じにくい装置を提供する。【解決手段】第１の可撓性基板、第２の可撓性基板、及び素子層を有し、第１の可撓性基板は、有機樹脂を有し、第２の可撓性基板は、有機樹脂を有し、素子層は、第１の可撓性基板及び第２の可撓性基板の間に位置し、素子層は発光素子を含み、発光素子は第１の可撓性基板側に光を発し、第１の可撓性基板は第１の部分を有し、第２の可撓性基板は第２の部分を有し、第１の部分は、第２の部分に比べて、波長４００ｎｍ以上８００ｎｍ以下における透過率の平均が高い、発光装置である。【選択図】図１
2020160473.tif 000002
【特許請求の範囲】
【請求項１】
第１の可撓性基板と、
第１の接着層と、
タッチセンサの電極として機能する第１の電極及び第２の電極と、
素子層と、
第２の可撓性基板と、
を有し、
前記第２の可撓性基板上に前記素子層が配置され、
前記素子層上に、前記第１の電極及び前記第２の電極が配置され、
前記第１の電極上、及び前記第２の電極上に、前記第１の接着層が配置され、
前記第１の接着層上に、前記第１の可撓性基板が配置され、
前記素子層は、発光素子を含み、
前記発光素子は、前記第１の可撓性基板側に光を発することができる機能を有し、
前記第１の可撓性基板は、前記発光素子に近い側から、ガラス層、第２の接着層、有機樹脂層の順に積層された構成を有し、
前記ガラス層の厚さは、２０μｍ以上２００μｍ以下であり、
前記有機樹脂層の厚さは、１０μｍ以上２００μｍ以下である、発光装置。
【請求項２】
請求項１において、
折りたたんだときに、曲率半径が０．０１ｍｍ以上１５０ｍｍ以下となる、発光装置。
【請求項３】
請求項１または請求項２において、
前記発光装置を用いた折りたたみ可能な携帯情報端末であって、
表示面が内側になるように前記発光装置を折りたたんだとき、前記表示面の両端近傍が接する携帯情報端末。
【発明の詳細な説明】
【技術分野】
【０００１】
本発明の一態様は、発光装置、入出力装置、及び電子機器に関する。特に、可撓性を有す
る発光装置、入出力装置、及び電子機器に関する。
【０００２】
なお、本発明の一態様は、上記の技術分野に限定されない。本明細書等で開示する発明の
一態様は、物、方法、又は、製造方法に関する。本発明の一態様は、プロセス、マシン、
マニュファクチャ、又は、組成物（コンポジション・オブ・マター）に関する。そのため
、より具体的に本明細書で開示する発明の一態様の技術分野としては、半導体装置、表示
装置、発光装置、蓄電装置、記憶装置、電子機器、照明装置、入力装置（例えば、タッチ
センサなど）、出力装置、入出力装置（例えば、タッチパネルなど）、それらの駆動方法
、又は、それらの製造方法、を一例として挙げることができる。
【背景技術】
【０００３】
エレクトロルミネッセンス（ＥＬ：Ｅｌｅｃｔｒｏｌｕｍｉｎｅｓｃｅｎｃｅ）を利用し
た発光素子（ＥＬ素子とも記す）は、薄型軽量化が容易である、入力信号に対し高速に応
答可能である、直流低電圧電源を用いて駆動可能である等の特徴を有し、表示装置や照明
装置への応用が検討されている。
【０００４】
また、可撓性を有する基板（以下、可撓性基板とも記す）上に半導体素子、表示素子、発
光素子などの機能素子が設けられたフレキシブルデバイスの開発が進められている。フレ
キシブルデバイスの代表的な例としては、照明装置、画像表示装置の他、トランジスタな
どの半導体素子を有する種々の半導体回路などが挙げられる。
【０００５】
特許文献１には、フィルム基板上に、スイッチング素子であるトランジスタや有機ＥＬ素
子を備えたフレキシブルなアクティブマトリクス方式の発光装置が開示されている。
【０００６】
また、表示装置は様々な用途への応用が期待されており、多様化が求められている。例え
ば、携帯情報端末として、タッチパネルを備えるスマートフォンやタブレット端末の開発
が進められている。
【先行技術文献】
【特許文献】
【０００７】
【特許文献１】特開２００３−１７４１５３号公報
【発明の概要】
【発明が解決しようとする課題】
【０００８】
本発明の一態様は、高温環境下や高湿環境下においても反りや歪みが生じにくい装置を提
供することを目的の一とする。または、本発明の一態様は、信頼性の高い装置を提供する
ことを目的の一とする。または、本発明の一態様は、繰り返しの曲げに強い装置を提供す
ることを目的の一とする。または、本発明の一態様は、軽量である、薄型である、もしく
は可撓性を有する装置を提供することを目的の一とする。または、本発明の一態様は、新
規な半導体装置、発光装置、表示装置、入出力装置、電子機器、又は照明装置等の装置を
提供することを目的の一とする。
【０００９】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１０】
本発明の一態様は、第１の可撓性基板、第２の可撓性基板、及び素子層を有し、第１の可
撓性基板は有機樹脂を有し、第２の可撓性基板は有機樹脂を有し、素子層は、第１の可撓
性基板及び第２の可撓性基板の間に位置し、素子層は発光素子を含み、発光素子は第１の
可撓性基板側に光を発することができる機能を有し、第１の可撓性基板は第１の部分を有
し、第２の可撓性基板は第２の部分を有し、第１の部分は、第２の部分に比べて、波長４
００ｎｍ以上８００ｎｍ以下における透過率の平均が高い、発光装置である。
【００１１】
または、本発明の一態様は、第１の可撓性基板、第２の可撓性基板、及び素子層を有し、
第１の可撓性基板は有機樹脂を有し、第２の可撓性基板は有機樹脂を有し、素子層は、第
１の可撓性基板及び第２の可撓性基板の間に位置し、素子層は発光素子を含み、発光素子
は第１の可撓性基板側に光を発することができる機能を有し、第１の可撓性基板は第３の
部分を有し、第２の可撓性基板は第４の部分を有し、第４の部分は第３の部分に比べて黄
色い、発光装置である。
【００１２】
なお、第４の部分が第３の部分に比べて黄色いとは、第４の部分及び第３の部分が、それ
ぞれ独立に、特定の波長域の光を吸収しそれ以外の光を反射することで、発光装置の使用
者には、第３の部分に比べて第４の部分の方が黄色く見えるということである。例えば、
第４の部分は、第３の部分に比べて、黄色の波長域（例えば５７０ｎｍ以上５９０ｎｍ以
下）の光の反射率が高い、黄色の補色の波長域（例えば４５０ｎｍ以上４９５ｎｍ以下）
の光の吸収率が高い、ともいえる。
【００１３】
上記各構成において、第１の可撓性基板は第５の部分を有し、第２の可撓性基板は第６の
部分を有し、第５の部分の線膨張係数と、第６の部分の線膨張係数と、の差は、１５ｐｐ
ｍ／Ｋ以内が好ましく、１０ｐｐｍ／Ｋ以内がより好ましく、５ｐｐｍ／Ｋ以内がさらに
好ましく、３ｐｐｍ／Ｋ以内が特に好ましい。
【００１４】
上記各構成において、第１の可撓性基板は第７の部分を有し、第２の可撓性基板は第８の
部分を有し、第７の部分の厚さと、第８の部分の厚さと、の差は、１０μｍ以内が好まし
く、５μｍ以内がより好ましく、３μｍ以内がさらに好ましく、１．５μｍ以内が特に好
ましい。
【００１５】
上記各構成において、第１の可撓性基板と第２の可撓性基板が同一の材料を含んでいても
よい。
【００１６】
上記各構成において、第１の可撓性基板及び素子層の間に位置する第１の接着層と、第２
の可撓性基板及び素子層の間に位置する第２の接着層と、を有していてもよい。このとき
、第１の可撓性基板と第１の接着層の厚さの和と、第２の可撓性基板と第２の接着層の厚
さの和と、の差は、１０μｍ以内が好ましく、５μｍ以内がより好ましく、３μｍ以内が
さらに好ましく、１．５μｍ以内が特に好ましい。または、第１の接着層は第９の部分を
有し、第２の接着層は第１０の部分を有し、第９の部分の厚さと第１０の部分の厚さの差
は、１０μｍ以内が好ましく、５μｍ以内がより好ましく、３μｍ以内がさらに好ましく
、１．５μｍ以内が特に好ましい。
【００１７】
上記各構成において、第１の可撓性基板は第１１の部分を有し、第２の可撓性基板は第１
２の部分を有し、第１２の部分は、第１１の部分に比べて、ガラス転移温度が高くてもよ
い。
【００１８】
また、本発明の一態様は、上記各構成の発光装置と、ＦＰＣ（Ｆｌｅｘｉｂｌｅ  Ｐｒｉ
ｎｔｅｄ  Ｃｉｒｃｕｉｔ）とを有するモジュールである。
【００１９】
また、上記各構成が適用された入出力装置も本発明の一態様である。本発明の一態様の入
出力装置は、例えば、素子層に、発光素子又は表示素子と、検知素子又はタッチセンサと
、を有していてもよい。
【００２０】
また、上記各構成の発光装置又は入出力装置を用いた電子機器や照明装置も本発明の一態
様である。例えば、本発明の一態様は、上記各構成の発光装置、入出力装置、又はモジュ
ールと、アンテナ、バッテリ、筐体、スピーカ、マイク、操作スイッチ、又は操作ボタン
と、を有する、電子機器である。
【００２１】
なお、本明細書等において、本発明の一態様の発光装置又は入出力装置は、ＦＰＣもしく
はＴＣＰ（Ｔａｐｅ  Ｃａｒｒｉｅｒ  Ｐａｃｋａｇｅ）などのコネクターが取り付けら
れたモジュール、又はＣＯＧ（Ｃｈｉｐ  Ｏｎ  Ｇｌａｓｓ）方式等によりＩＣが実装さ
れたモジュール等のモジュールも含む場合がある。または、これらのモジュールが、本発
明の一態様の発光装置又は入出力装置を含む場合がある。
【発明の効果】
【００２２】
本発明の一態様により、高温環境下や高湿環境下においても反りや歪みが生じにくい装置
を提供できる。または、本発明の一態様により、信頼性の高い装置を提供できる。または
、本発明の一態様により、繰り返しの曲げに強い装置を提供できる。または、本発明の一
態様により、軽量である、薄型である、もしくは可撓性を有する装置を提供できる。また
は、本発明の一態様により、新規な半導体装置、発光装置、表示装置、入出力装置、電子
機器、又は照明装置等の装置を提供できる。
【００２３】
なお、これらの効果の記載は、他の効果の存在を妨げるものではない。なお、本発明の一
態様は、必ずしも、これらの効果の全てを有する必要はない。なお、これら以外の効果は
、明細書、図面、請求項などの記載から、自ずと明らかとなるものであり、明細書、図面
、請求項などの記載から、これら以外の効果を抽出することが可能である。
【図面の簡単な説明】
【００２４】
【図１】発光装置の一例を示す図。
【図２】発光装置の一例を示す図。
【図３】発光装置の一例を示す図。
【図４】入出力装置の一例を示す図。
【図５】入出力装置の一例を示す図。
【図６】入出力装置の一例を示す図。
【図７】入出力装置の一例を示す図。
【図８】入出力装置の一例を示す図。
【図９】入出力装置の一例を示す図。
【図１０】電子機器及び照明装置の一例を示す図。
【図１１】電子機器の一例を示す図。
【発明を実施するための形態】
【００２５】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。
【００２６】
なお、以下に説明する発明の構成において、同一部分又は同様な機能を有する部分には同
一の符号を異なる図面間で共通して用い、その繰り返しの説明は省略する。また、同様の
機能を指す場合には、ハッチパターンを同じくし、特に符号を付さない場合がある。
【００２７】
また、図面等において示す各構成の、位置、大きさ、範囲などは、理解の簡単のため、実
際の位置、大きさ、範囲などを表していない場合がある。このため、開示する発明は、必
ずしも、図面等に開示された位置、大きさ、範囲などに限定されない。
【００２８】
なお、「膜」という言葉と、「層」という言葉とは、場合によっては、又は、状況に応じ
て、互いに入れ替えることが可能である。例えば、「導電層」という用語を、「導電膜」
という用語に変更することが可能な場合がある。または、例えば、「絶縁膜」という用語
を、「絶縁層」という用語に変更することが可能な場合がある。
【００２９】
（実施の形態１）
本実施の形態では、本発明の一態様の発光装置について図１を用いて説明する。
【００３０】
本実施の形態では、主に有機ＥＬ素子を用いた発光装置を例示するが、本発明の一態様は
これに限られない。本実施の形態で後に例示する、他の発光素子や表示素子を用いた発光
装置又は表示装置も、本発明の一態様である。また、本発明の一態様は、発光装置及び表
示装置に限られず、半導体装置、入出力装置等の各種装置に適用することができる。
【００３１】
作製基板上に被剥離層を形成した後、被剥離層を作製基板から剥離して別の基板に転置す
ることができる。この方法によれば、例えば、耐熱性の高い作製基板上で形成した被剥離
層を、耐熱性の低い基板に転置することができる。このため、被剥離層の作製温度が、耐
熱性の低い基板によって制限されない。また、作製基板に比べて軽い、薄い、又は可撓性
が高い基板等に被剥離層を転置することが可能であり、半導体装置、発光装置、表示装置
、入出力装置等の各種装置の軽量化、薄型化、フレキシブル化を実現できる。
【００３２】
本実施の形態の発光装置の構成例を、図１（Ａ１）、（Ａ２）に示す。
【００３３】
図１（Ａ１）に示す発光装置は、基板１０１、接着層１０３、絶縁層１０５、素子層１０
６ａ、接着層１０７、機能層１０６ｂ、絶縁層１１５、接着層１１３、及び基板１１１を
有する。基板１０１及び基板１１１はそれぞれ可撓性を有する。素子層１０６ａは少なく
とも一つの機能素子を有する。機能素子としては、例えば、トランジスタ等の半導体素子
や、発光ダイオード、無機ＥＬ素子、有機ＥＬ素子等の発光素子、液晶素子等の表示素子
、検知素子等が挙げられる。機能層１０６ｂは、例えば、着色層（カラーフィルタなど）
、遮光層（ブラックマトリクスなど）、又は上述の機能素子等を有する。
【００３４】
図１（Ａ１）に示す発光装置の作製方法を例示する。まず、作製基板上に剥離層を形成し
、剥離層上に絶縁層１０５を形成し、絶縁層１０５上に素子層１０６ａを形成する。また
、別の作製基板上に剥離層を形成し、剥離層上に絶縁層１１５を形成し、絶縁層１１５上
に機能層１０６ｂを形成する。次に、接着層１０７を介して素子層１０６ａと機能層１０
６ｂを対向させて貼り合わせる。そして、剥離層を用いて作製基板と絶縁層１０５を分離
し、接着層１０３を用いて基板１０１と絶縁層１０５を貼り合わせる。同様に、剥離層を
用いて作製基板と絶縁層１１５を分離し、接着層１１３を用いて基板１１１と絶縁層１１
５を貼り合わせる。以上により、図１（Ａ１）に示す発光装置を作製することができる。
【００３５】
なお、作製基板と絶縁層の分離後、剥離層は作製基板側に残っていてもよいし、絶縁層側
に残っていてもよい。剥離層としては、無機材料や有機樹脂を用いることができる。無機
材料としては、例えば、タングステン、モリブデン、チタン、タンタル、ニオブ、ニッケ
ル、コバルト、ジルコニウム、亜鉛、ルテニウム、ロジウム、パラジウム、オスミウム、
イリジウム、シリコンから選択された元素を含む金属、該元素を含む合金又は該元素を含
む化合物等が挙げられる。例えば、剥離層に、タングステンを含む層とタングステンの酸
化物を含む層の積層構造を適用できる。有機樹脂としては、ポリイミド、ポリエステル、
ポリオレフィン、ポリアミド、ポリカーボネート、又はアクリル等が挙げられる。該有機
樹脂を、装置を構成する層（例えば基板）として用いてもよいし、該有機樹脂を除去し、
被剥離層の露出した面に接着剤を用いて別の基板を貼り合わせてもよい。
【００３６】
図１（Ａ２）に示す発光装置は、基板１０１、接着層１０３、絶縁層１０５、素子層１０
６、接着層１０７、及び基板１１１を有する。
【００３７】
図１（Ａ２）に示す発光装置の作製方法を例示する。まず、作製基板上に剥離層を形成し
、剥離層上に絶縁層１０５を形成し、絶縁層１０５上に素子層１０６を形成し、接着層１
０７を用いて素子層１０６と基板１１１を貼り合わせる。そして、剥離層を用いて作製基
板と絶縁層１０５を分離し、接着層１０３を用いて基板１０１と絶縁層１０５を貼り合わ
せる。以上により、図１（Ａ２）に示す発光装置を作製することができる。
【００３８】
例えば、有機ＥＬ素子は水分などにより劣化しやすいため、防湿性が低い有機樹脂基板上
に作製すると、信頼性が不十分である場合がある。ここで、上記の作製方法では、防湿性
の高い保護膜（絶縁層１０５又は絶縁層１１５の一方又は双方に相当）をガラス基板上に
高温で形成し、耐熱性や防湿性が低く、可撓性を有する有機樹脂基板に転置することがで
きる。有機樹脂基板に転置された保護膜上に有機ＥＬ素子を形成することで、信頼性の高
いフレキシブルな発光装置を作製できる。
【００３９】
また、別の例としては、防湿性の高い保護膜をガラス基板上に高温で形成し、保護膜上に
有機ＥＬ素子を形成した後、保護膜及び有機ＥＬ素子をガラス基板から剥離し、耐熱性や
防湿性が低く、可撓性を有する有機樹脂基板に転置することができる。有機樹脂基板に保
護膜及び有機ＥＬ素子を転置することで、信頼性の高いフレキシブルな発光装置を作製で
きる。
【００４０】
ところで、フレキシブルな発光装置の基板に求められる性質は複数ある。例えば、発光装
置をフレキシブルにするためには、基板が可撓性を有する必要がある。また、発光装置の
光を取り出す側の基板は、可視光の透過性が高いことが求められる。また、ＦＰＣが圧着
される側の基板は、耐熱性が高いことが求められる。また、高温環境下や高湿環境下での
発光装置のクラックを抑制するためには、基板の線膨張係数が小さいことが好ましい。基
板の材料がこれらの性質のすべてを両立することは非常に困難である。
【００４１】
したがって、本発明の一態様の発光装置では、一対の基板にそれぞれ異なる材料を用いる
。具体的には、本発明の一態様は、第１の可撓性基板、第２の可撓性基板、及び素子層を
有し、第１の可撓性基板は有機樹脂を有し、第２の可撓性基板は有機樹脂を有し、素子層
は、第１の可撓性基板及び第２の可撓性基板の間に位置し、素子層は発光素子を含み、発
光素子は第１の可撓性基板側に光を発し、第１の可撓性基板は、第２の可撓性基板に比べ
て、波長４００ｎｍ以上８００ｎｍ以下における透過率の平均が高い、発光装置である。
【００４２】
なお、本発明の一態様では、第１の可撓性基板の一部が、第２の可撓性基板の一部に比べ
て波長４００ｎｍ以上８００ｎｍ以下における透過率の平均が高ければよい。
【００４３】
第２の可撓性基板は着色されていてもよい。または、第２の可撓性基板は半透明もしくは
不透明であってもよい。または、第２の可撓性基板は、第１の可撓性基板に比べて黄色く
てもよい。
【００４４】
本発明の一態様の発光装置において、発光素子からの光を取り出す側の基板である第１の
可撓性基板に、第２の可撓性基板よりも可視光の透過率が高い基板を用いる。第２の可撓
性基板の可視光の透過率は問わないため、基板に求められる他の性質を考慮する場合にお
いても、第２の可撓性基板の材料の選択の幅が狭くなりにくい。したがって、第２の可撓
性基板に、安価である、供給が安定している、もしくは量産が容易である基板を選択しや
すい。また、第２の可撓性基板は、第１の可撓性基板よりも、耐熱性が高い（例えば、ガ
ラス転移温度が高い）、線膨張係数が小さい、安価である、もしくは量産が容易であると
、好ましい。
【００４５】
例えば、ＦＰＣが圧着される側の基板が第２の可撓性基板である場合、第２の可撓性基板
は、第１の可撓性基板に比べて、ガラス転移温度が高いことが好ましい。
【００４６】
ここで、フレキシブルな発光装置の厚さは、基板の厚さが大半を占めていることが多い。
有機材料は、無機材料に比べて温度や湿度の影響を受けやすく、可逆的又は不可逆的な、
膨張又は収縮が生じやすい。したがって、有機樹脂等の有機材料を用いたフィルムを発光
装置の一対の基板に適用する場合、一方の基板と他方の基板で膨張又は収縮のバランスが
異なると、発光装置に応力が発生し、可逆的又は不可逆的な反りが生じる場合がある。
【００４７】
したがって、本発明の一態様において、第１の可撓性基板と第２の可撓性基板は、厚さが
揃っていることが好ましい。一対の基板の厚さが揃っていることで、高温環境下、高湿環
境下等においても発光装置の反りや歪みを抑制できる。また、繰り返しの曲げに強い発光
装置を実現することができる。
【００４８】
例えば、第１の可撓性基板の厚さと、第２の可撓性基板の厚さと、の差は、１０μｍ以内
が好ましく、５μｍ以内がより好ましく、３μｍ以内がさらに好ましく、１．５μｍ以内
が特に好ましい。
【００４９】
なお、本発明の一態様は、一対の可撓性基板の厚さを揃える構成に限られない。一対の可
撓性基板において、他の物性値を揃えることで、発光装置の反りや歪み等を抑制してもよ
い。
【００５０】
本発明の一態様において、第１の可撓性基板と第２の可撓性基板は、線膨張係数が揃って
いることが好ましい。一対の基板の線膨張係数が揃っていることで、高温環境下、高湿環
境下等においても発光装置の反りや歪みを抑制できる。また、繰り返しの曲げに強い発光
装置を実現することができる。また、一対の可撓性基板の熱による伸縮の度合いが異なる
ことは、発光装置におけるクラックの発生の原因の一つである。このことからも、一対の
可撓性基板の線膨張係数の差は小さいことが好ましい。
【００５１】
例えば、第１の可撓性基板の線膨張係数と第２の可撓性基板の線膨張係数と、の差は、１
５ｐｐｍ／Ｋ以内が好ましく、１０ｐｐｍ／Ｋ以内がより好ましく、５ｐｐｍ／Ｋ以内が
さらに好ましく、３ｐｐｍ／Ｋ以内が特に好ましい。
【００５２】
また、第１の可撓性基板と第２の可撓性基板が同一の材料を含んでいてもよい。
【００５３】
また、本発明の一態様において、第１の可撓性基板及び素子層の間に位置する第１の接着
層と、第２の可撓性基板及び素子層の間に位置する第２の接着層とを有していてもよい。
【００５４】
接着層には、有機材料を含む接着剤を用いることができる。このような接着剤も、無機材
料に比べて温度や湿度の影響を受けやすく、可逆的又は不可逆的な、膨張又は収縮が生じ
やすい。
【００５５】
したがって、本発明の一態様において、第１の接着層と第２の接着層は、厚さが揃ってい
ることが好ましい。一対の接着層の厚さが揃っていることで、高温環境下、高湿環境下等
においても発光装置の反りや歪みを抑制できる。また、繰り返しの曲げに強い発光装置を
実現することができる。
【００５６】
例えば、第１の接着層の厚さと、第２の接着層の厚さと、の差は、１０μｍ以内が好まし
く、５μｍ以内がより好ましく、３μｍ以内がさらに好ましく、１．５μｍ以内が特に好
ましい。
【００５７】
さらに、第１の可撓性基板と第１の接着層の厚さの和と、第２の可撓性基板と第２の接着
層の厚さの和と、の差は、１０μｍ以内が好ましく、５μｍ以内がより好ましく、３μｍ
以内がさらに好ましく、１．５μｍ以内が特に好ましい。発光装置において、一方の面側
に位置する可撓性基板及び接着層と、他方の面側に位置する可撓性基板及び接着層の厚さ
が揃っていることで、高温環境下、高湿環境下等においても発光装置の反りや歪みを抑制
できる。また、繰り返しの曲げに強い発光装置を実現することができる。
【００５８】
なお、本発明の一態様は、一対の接着層の厚さを揃える構成に限られない。一対の接着層
において、他の物性値を揃えることで、発光装置の反りや歪み等を抑制してもよい。
【００５９】
本発明の一態様において、第１の接着層と第２の接着層は、線膨張係数が揃っていること
が好ましい。一対の接着層の線膨張係数が揃っていることで、高温環境下、高湿環境下等
においても発光装置の反りや歪みを抑制できる。また、繰り返しの曲げに強い発光装置を
実現することができる。また、一対の接着層の熱による伸縮の度合いが異なることは、発
光装置におけるクラックの発生の原因の一つである。このことからも、一対の接着層の線
膨張係数の差は小さいことが好ましい。
【００６０】
例えば、第１の接着層の線膨張係数と第２の接着層の線膨張係数と、の差は、１５ｐｐｍ
／Ｋ以内が好ましく、１０ｐｐｍ／Ｋ以内がより好ましく、５ｐｐｍ／Ｋ以内がさらに好
ましく、３ｐｐｍ／Ｋ以内が特に好ましい。
【００６１】
以下では、本発明の一態様の発光装置の具体例について説明する。
【００６２】
＜具体例１＞
図１（Ｂ）に発光装置の平面図を示し、図１（Ｂ）における一点鎖線Ａ１−Ａ２間の断面
図の一例を図１（Ｄ）に示す。具体例１で示す発光装置は、カラーフィルタ方式を用いた
トップエミッション型の発光装置である。本実施の形態において、発光装置は、例えば、
Ｒ（赤）、Ｇ（緑）、Ｂ（青）の３色の副画素で１つの色を表現する構成や、Ｒ（赤）、
Ｇ（緑）、Ｂ（青）、Ｗ（白）の４色の副画素で１つの色を表現する構成、Ｒ（赤）、Ｇ
（緑）、Ｂ（青）、Ｙ（黄）の４色の副画素で１つの色を表現する構成等が適用できる。
色要素としては特に限定はなく、ＲＧＢＷＹ以外の色を用いてもよく、例えば、シアン、
マゼンタなどで構成されてもよい。
【００６３】
図１（Ｂ）に示す発光装置は、発光部８０４、駆動回路部８０６、ＦＰＣ８０８を有する
。
【００６４】
図１（Ｄ）に示す発光装置は、基板１０１、接着層１０３、絶縁層１０５、複数のトラン
ジスタ、導電層８５７、絶縁層８１５、絶縁層８１７、複数の発光素子、絶縁層８２１、
接着層８２２、着色層８４５、遮光層８４７、絶縁層１１５、接着層１１３、及び基板１
１１を有する。接着層８２２、絶縁層１１５、接着層１１３、及び基板１１１は可視光を
透過する。発光部８０４及び駆動回路部８０６に含まれる発光素子やトランジスタは基板
１０１、基板１１１、及び接着層８２２によって封止されている。
【００６５】
発光部８０４は、接着層１０３及び絶縁層１０５を介して基板１０１上にトランジスタ８
２０及び発光素子８３０を有する。発光素子８３０は、絶縁層８１７上の下部電極８３１
と、下部電極８３１上のＥＬ層８３３と、ＥＬ層８３３上の上部電極８３５と、を有する
。下部電極８３１は、トランジスタ８２０のソース電極又はドレイン電極と電気的に接続
する。下部電極８３１の端部は、絶縁層８２１で覆われている。下部電極８３１は可視光
を反射することが好ましい。上部電極８３５は可視光を透過する。
【００６６】
また、発光部８０４は、発光素子８３０と重なる着色層８４５と、絶縁層８２１と重なる
遮光層８４７と、を有する。発光素子８３０と着色層８４５の間は接着層８２２で充填さ
れている。
【００６７】
絶縁層８１５は、トランジスタを構成する半導体への不純物の拡散を抑制する効果を奏す
る。また、絶縁層８１７は、トランジスタ起因の表面凹凸を低減するために平坦化機能を
有する絶縁層を選択することが好適である。
【００６８】
駆動回路部８０６は、接着層１０３及び絶縁層１０５を介して基板１０１上にトランジス
タを複数有する。図１（Ｄ）では、駆動回路部８０６が有するトランジスタのうち、１つ
のトランジスタを示している。
【００６９】
絶縁層１０５と基板１０１は接着層１０３によって貼り合わされている。また、絶縁層１
１５と基板１１１は接着層１１３によって貼り合わされている。絶縁層１０５又は絶縁層
１１５の少なくとも一方に防湿性の高い膜を用いると、発光素子８３０やトランジスタ８
２０に水分等の不純物が侵入することを抑制でき、発光装置の信頼性が高くなるため好ま
しい。
【００７０】
導電層８５７は、駆動回路部８０６に外部からの信号（ビデオ信号、クロック信号、スタ
ート信号、又はリセット信号等）や電位を伝達する外部入力端子と電気的に接続する。こ
こでは、外部入力端子としてＦＰＣ８０８を設ける例を示している。工程数の増加を防ぐ
ため、導電層８５７は、発光部や駆動回路部に用いる電極や配線と同一の材料、同一の工
程で作製することが好ましい。ここでは、導電層８５７を、トランジスタ８２０を構成す
る電極と同一の材料、同一の工程で作製した例を示す。
【００７１】
図１（Ｄ）に示す発光装置では、ＦＰＣ８０８が基板１１１上に位置する。接続体８２５
は、基板１１１、接着層１１３、絶縁層１１５、接着層８２２、絶縁層８１７、及び絶縁
層８１５に設けられた開口を介して導電層８５７と接続している。また、接続体８２５は
ＦＰＣ８０８に接続している。接続体８２５を介してＦＰＣ８０８と導電層８５７は電気
的に接続する。導電層８５７と基板１１１とが重なる場合には、基板１１１を開口する（
又は開口部を有する基板を用いる）ことで、導電層８５７、接続体８２５、及びＦＰＣ８
０８を電気的に接続させることができる。
【００７２】
基板１１１は、発光素子８３０の光を取り出す側の基板である。したがって、基板１１１
は、基板１０１よりも、波長４００ｎｍ以上８００ｎｍ以下における透過率の平均が高い
ことが好ましい。
【００７３】
基板１０１は、ＦＰＣが圧着される側の基板である。したがって、基板１０１は、基板１
１１よりも、ガラス転移温度が高いことが好ましい。
【００７４】
＜具体例２＞
図１（Ｃ）に発光装置の平面図を示し、図１（Ｃ）における一点鎖線Ａ３−Ａ４間の断面
図の一例を図２（Ａ）に示す。具体例２で示す発光装置は、具体例１とは異なる、カラー
フィルタ方式を用いたトップエミッション型の発光装置である。ここでは、具体例１と異
なる点のみ詳述し、具体例１と共通する点は説明を省略する。
【００７５】
図２（Ａ）に示す発光装置は、図１（Ｄ）に示す発光装置と下記の点で異なる。
【００７６】
図２（Ａ）に示す発光装置は、絶縁層８１７ａ及び絶縁層８１７ｂを有し、絶縁層８１７
ａ上に導電層８５６を有する。トランジスタ８２０のソース電極又はドレイン電極と、発
光素子８３０の下部電極と、が、導電層８５６を介して、電気的に接続される。
【００７７】
図２（Ａ）に示す発光装置は、絶縁層８２１上にスペーサ８２３を有する。スペーサ８２
３を設けることで、基板１０１と基板１１１の間隔を調整することができる。
【００７８】
図２（Ａ）に示す発光装置は、着色層８４５及び遮光層８４７を覆うオーバーコート８４
９を有する。発光素子８３０とオーバーコート８４９の間は接着層８２２で充填されてい
る。
【００７９】
また、図２（Ａ）に示す発光装置は、基板１０１と基板１１１とで大きさが異なる。ＦＰ
Ｃ８０８が絶縁層１１５上に位置し、基板１１１と重ならない。接続体８２５は、絶縁層
１１５、接着層８２２、絶縁層８１７ａ、及び絶縁層８１５に設けられた開口を介して導
電層８５７と接続している。基板１１１に開口を設ける必要がないため、基板１１１の材
料が制限されない。
【００８０】
なお、図２（Ｂ）に示すように、発光素子８３０は、下部電極８３１とＥＬ層８３３の間
に、光学調整層８３２を有していてもよい。光学調整層８３２には、透光性を有する導電
性材料を用いることが好ましい。カラーフィルタ（着色層）とマイクロキャビティ構造（
光学調整層）との組み合わせにより、本発明の一態様の発光装置からは、色純度の高い光
を取り出すことができる。光学調整層の膜厚は、各副画素の色に応じて変化させればよい
。
【００８１】
＜具体例３＞
図１（Ｃ）に発光装置の平面図を示し、図１（Ｃ）における一点鎖線Ａ３−Ａ４間の断面
図の一例を図２（Ｃ）に示す。具体例３で示す発光装置は、塗り分け方式を用いたトップ
エミッション型の発光装置である。
【００８２】
図２（Ｃ）に示す発光装置は、基板１０１、接着層１０３、絶縁層１０５、複数のトラン
ジスタ、導電層８５７、絶縁層８１５、絶縁層８１７、複数の発光素子、絶縁層８２１、
スペーサ８２３、接着層８２２、及び基板１１１を有する。接着層８２２及び基板１１１
は可視光を透過する。
【００８３】
図２（Ｃ）に示す発光装置では、接続体８２５が絶縁層８１５上に位置する。接続体８２
５は、絶縁層８１５に設けられた開口を介して導電層８５７と接続している。また、接続
体８２５はＦＰＣ８０８に接続している。接続体８２５を介してＦＰＣ８０８と導電層８
５７は電気的に接続する。
【００８４】
＜具体例４＞
図１（Ｃ）に発光装置の平面図を示し、図１（Ｃ）における一点鎖線Ａ３−Ａ４間の断面
図の一例を図３（Ａ）に示す。具体例４で示す発光装置は、カラーフィルタ方式を用いた
ボトムエミッション型の発光装置である。
【００８５】
図３（Ａ）に示す発光装置は、基板１０１、接着層１０３、絶縁層１０５、複数のトラン
ジスタ、導電層８５７、絶縁層８１５、着色層８４５、絶縁層８１７ａ、絶縁層８１７ｂ
、導電層８５６、複数の発光素子、絶縁層８２１、接着層８２２、及び基板１１１を有す
る。基板１０１、接着層１０３、絶縁層１０５、絶縁層８１５、絶縁層８１７ａ、及び絶
縁層８１７ｂは可視光を透過する。
【００８６】
発光部８０４は、接着層１０３及び絶縁層１０５を介して基板１０１上にトランジスタ８
２０、トランジスタ８２４、及び発光素子８３０を有する。発光素子８３０は、絶縁層８
１７ｂ上の下部電極８３１と、下部電極８３１上のＥＬ層８３３と、ＥＬ層８３３上の上
部電極８３５と、を有する。下部電極８３１は、トランジスタ８２０のソース電極又はド
レイン電極と電気的に接続する。下部電極８３１の端部は、絶縁層８２１で覆われている
。上部電極８３５は可視光を反射することが好ましい。下部電極８３１は可視光を透過す
る。発光素子８３０と重なる着色層８４５を設ける位置は、特に限定されず、例えば、絶
縁層８１７ａと絶縁層８１７ｂの間や、絶縁層８１５と絶縁層８１７ａの間等に設ければ
よい。
【００８７】
駆動回路部８０６は、接着層１０３及び絶縁層１０５を介して基板１０１上にトランジス
タを複数有する。図３（Ａ）では、駆動回路部８０６が有するトランジスタのうち、２つ
のトランジスタを示している。
【００８８】
絶縁層１０５と基板１０１は接着層１０３によって貼り合わされている。絶縁層１０５に
防湿性の高い膜を用いると、発光素子８３０やトランジスタ８２０、トランジスタ８２４
に水分等の不純物が侵入することを抑制でき、発光装置の信頼性が高くなるため好ましい
。
【００８９】
導電層８５７は、駆動回路部８０６に外部からの信号や電位を伝達する外部入力端子と電
気的に接続する。ここでは、外部入力端子としてＦＰＣ８０８を設ける例を示している。
また、ここでは、導電層８５７を、導電層８５６と同一の材料、同一の工程で作製した例
を示す。
【００９０】
基板１０１は、発光素子８３０の光を取り出す側の基板である。したがって、基板１０１
は、基板１１１よりも、波長４００ｎｍ以上８００ｎｍ以下における透過率の平均が高い
ことが好ましい。
【００９１】
基板１０１は、ＦＰＣが圧着される側の基板である。したがって、基板１０１は、基板１
１１よりも、ガラス転移温度が高いことが好ましい。
【００９２】
＜具体例５＞
図３（Ｂ）に具体例１〜４とは異なる発光装置の例を示す。
【００９３】
図３（Ｂ）に示す発光装置は、基板１０１、接着層１０３、絶縁層１０５、導電層８１４
、導電層８５７ａ、導電層８５７ｂ、発光素子８３０、絶縁層８２１、接着層８２２、及
び基板１１１を有する。
【００９４】
導電層８５７ａ及び導電層８５７ｂは、発光装置の外部接続電極であり、ＦＰＣ等と電気
的に接続させることができる。
【００９５】
発光素子８３０は、下部電極８３１、ＥＬ層８３３、及び上部電極８３５を有する。下部
電極８３１の端部は、絶縁層８２１で覆われている。発光素子８３０はボトムエミッショ
ン型、トップエミッション型、又はデュアルエミッション型である。光を取り出す側の電
極、基板、絶縁層等は、それぞれ可視光を透過する。導電層８１４は、下部電極８３１と
電気的に接続する。
【００９６】
本実施の形態では、発光素子８３０がボトムエミッション型である場合の例を示す。基板
１０１は、発光素子８３０の光を取り出す側の基板である。したがって、基板１０１は、
基板１１１よりも、波長４００ｎｍ以上８００ｎｍ以下における透過率の平均が高いこと
が好ましい。
【００９７】
基板１０１は、ＦＰＣが圧着される側の基板である。したがって、基板１０１は、基板１
１１よりも、ガラス転移温度が高いことが好ましい。
【００９８】
光を取り出す側の基板は、光取り出し構造として、半球レンズ、マイクロレンズアレイ、
凹凸構造が施されたフィルム、光拡散フィルム等を有していてもよい。例えば、樹脂基板
上に上記レンズやフィルムを、該基板又は該レンズもしくはフィルムと同程度の屈折率を
有する接着剤等を用いて接着することで、光取り出し構造を有する基板を形成することが
できる。
【００９９】
導電層８１４は必ずしも設ける必要は無いが、下部電極８３１の抵抗に起因する電圧降下
を抑制できるため、設けることが好ましい。また、同様の目的で、上部電極８３５と電気
的に接続する導電層を絶縁層８２１上、ＥＬ層８３３上、又は上部電極８３５上などに設
けてもよい。
【０１００】
導電層８１４は、銅、チタン、タンタル、タングステン、モリブデン、クロム、ネオジム
、スカンジウム、ニッケル、アルミニウムから選ばれた材料又はこれらを主成分とする合
金材料等を用いて、単層で又は積層して形成することができる。導電層８１４の膜厚は、
例えば、０．１μｍ以上３μｍ以下とすることができ、好ましくは、０．１μｍ以上０．
５μｍ以下である。
【０１０１】
＜材料の一例＞
次に、発光装置に用いることができる材料等を説明する。なお、本明細書中で先に説明し
た構成については説明を省略する場合がある。
【０１０２】
基板には、ガラス、石英、有機樹脂、金属、合金などの材料を用いることができる。発光
素子からの光を取り出す側の基板は、該光に対する透光性を有する材料を用いる。
【０１０３】
特に、可撓性基板を用いることが好ましい。例えば、有機樹脂や可撓性を有する程度の厚
さのガラス、金属、合金を用いることができる。
【０１０４】
ガラスに比べて有機樹脂は比重が小さいため、可撓性基板として有機樹脂を用いると、ガ
ラスを用いる場合に比べて発光装置を軽量化でき、好ましい。
【０１０５】
基板には、靱性が高い材料を用いることが好ましい。これにより、耐衝撃性に優れ、破損
しにくい発光装置を実現できる。例えば、有機樹脂基板や、厚さの薄い金属基板もしくは
合金基板を用いることで、ガラス基板を用いる場合に比べて、軽量であり、破損しにくい
発光装置を実現できる。
【０１０６】
金属材料や合金材料は熱伝導性が高く、基板全体に熱を容易に伝導できるため、発光装置
の局所的な温度上昇を抑制することができ、好ましい。金属材料や合金材料を用いた基板
の厚さは、１０μｍ以上２００μｍ以下が好ましく、２０μｍ以上５０μｍ以下であるこ
とがより好ましい。
【０１０７】
金属基板や合金基板を構成する材料としては、特に限定はないが、例えば、アルミニウム
、銅、ニッケル、又は、アルミニウム合金もしくはステンレス等の金属の合金などを好適
に用いることができる。
【０１０８】
また、基板に、熱放射率が高い材料を用いると発光装置の表面温度が高くなることを抑制
でき、発光装置の破壊や信頼性の低下を抑制できる。例えば、基板を金属基板と熱放射率
の高い層（例えば、金属酸化物やセラミック材料を用いることができる）の積層構造とし
てもよい。
【０１０９】
可撓性及び透光性を有する材料としては、例えば、ポリエチレンテレフタレート（ＰＥＴ
）、ポリエチレンナフタレート（ＰＥＮ）等のポリエステル樹脂、ポリアクリロニトリル
樹脂、ポリイミド樹脂、ポリメチルメタクリレート樹脂、ポリカーボネート（ＰＣ）樹脂
、ポリエーテルスルホン（ＰＥＳ）樹脂、ポリアミド樹脂（ナイロン、アラミド等）、シ
クロオレフィン樹脂、ポリスチレン樹脂、ポリアミドイミド樹脂、ポリ塩化ビニル樹脂等
が挙げられる。特に、線膨張係数の低い材料を用いることが好ましく、例えば、ポリアミ
ドイミド樹脂、ポリイミド樹脂、ＰＥＴ等を好適に用いることができる。また、繊維体に
樹脂を含浸した基板（プリプレグともいう）や、無機フィラーを有機樹脂に混ぜて線膨張
係数を下げた基板を使用することもできる。
【０１１０】
可撓性基板としては、上記材料を用いた層が、発光装置の表面を傷などから保護するハー
ドコート層（例えば、窒化シリコン層など）や、押圧を分散可能な材質の層（例えば、ア
ラミド樹脂層など）等と積層されて構成されていてもよい。
【０１１１】
可撓性基板は、複数の層を積層して用いることもできる。特に、ガラス層を有する構成と
すると、水や酸素に対するバリア性を向上させ、信頼性の高い発光装置とすることができ
る。
【０１１２】
例えば、発光素子に近い側からガラス層、接着層、及び有機樹脂層を積層した可撓性基板
を用いることができる。当該ガラス層の厚さとしては２０μｍ以上２００μｍ以下、好ま
しくは２５μｍ以上１００μｍ以下とする。このような厚さのガラス層は、水や酸素に対
する高いバリア性と可撓性を同時に実現できる。また、有機樹脂層の厚さとしては、１０
μｍ以上２００μｍ以下、好ましくは２０μｍ以上５０μｍ以下とする。このような有機
樹脂層をガラス層よりも外側に設けることにより、ガラス層の割れやクラックを抑制し、
機械的強度を向上させることができる。このようなガラス材料と有機樹脂の複合材料を基
板に適用することにより、極めて信頼性が高いフレキシブルな発光装置とすることができ
る。
【０１１３】
接着層には、紫外線硬化型等の光硬化型接着剤、反応硬化型接着剤、熱硬化型接着剤、嫌
気型接着剤などの各種硬化型接着剤を用いることができる。これら接着剤としてはエポキ
シ樹脂、アクリル樹脂、シリコーン樹脂、フェノール樹脂、ポリイミド樹脂、イミド樹脂
、ＰＶＣ（ポリビニルクロライド）樹脂、ＰＶＢ（ポリビニルブチラル）樹脂、ＥＶＡ（
エチレンビニルアセテート）樹脂等が挙げられる。特に、エポキシ樹脂等の透湿性が低い
材料が好ましい。また、二液混合型の樹脂を用いてもよい。また、接着シート等を用いて
もよい。
【０１１４】
また、上記樹脂に乾燥剤を含んでいてもよい。例えば、アルカリ土類金属の酸化物（酸化
カルシウムや酸化バリウム等）のように、化学吸着によって水分を吸着する物質を用いる
ことができる。または、ゼオライトやシリカゲル等のように、物理吸着によって水分を吸
着する物質を用いてもよい。乾燥剤が含まれていると、水分などの不純物が機能素子に侵
入することを抑制でき、発光装置の信頼性が向上するため好ましい。
【０１１５】
また、上記樹脂に屈折率の高いフィラーや光散乱部材を混合することにより、発光素子か
らの光取り出し効率を向上させることができる。例えば、酸化チタン、酸化バリウム、ゼ
オライト、ジルコニウム等を用いることができる。
【０１１６】
絶縁層１０５又は絶縁層１１５の少なくとも一方に、防湿性の高い絶縁膜を用いることが
好ましい。または、絶縁層１０５又は絶縁層１１５の少なくとも一方は、不純物の発光素
子への拡散を防ぐ機能を有していることが好ましい。
【０１１７】
防湿性の高い絶縁膜としては、窒化シリコン膜、窒化酸化シリコン膜等の窒素と珪素を含
む膜や、窒化アルミニウム膜等の窒素とアルミニウムを含む膜等が挙げられる。また、酸
化シリコン膜、酸化窒化シリコン膜、酸化アルミニウム膜等を用いてもよい。
【０１１８】
例えば、防湿性の高い絶縁膜の水蒸気透過量は、１×１０−５［ｇ／（ｍ２・ｄａｙ）］
以下、好ましくは１×１０−６［ｇ／（ｍ２・ｄａｙ）］以下、より好ましくは１×１０
−７［ｇ／（ｍ２・ｄａｙ）］以下、さらに好ましくは１×１０−８［ｇ／（ｍ２・ｄａ
ｙ）］以下とする。
【０１１９】
発光装置において、絶縁層１０５又は絶縁層１１５の少なくとも一方は、素子層１０６ａ
又は素子層１０６が有する発光素子の発光を透過する必要がある。絶縁層１０５又は絶縁
層１１５のうち、発光素子の発光を透過する側の絶縁層は、他方の絶縁層よりも、波長４
００ｎｍ以上８００ｎｍ以下における透過率の平均が高いことが好ましい。
【０１２０】
絶縁層１０５と絶縁層１１５は、それぞれ、酸素、窒素、及びシリコンを有することが好
ましい。例えば、絶縁層１０５と絶縁層１１５は、それぞれ、酸化窒化シリコンを有する
ことが好ましい。また、絶縁層１０５と絶縁層１１５は、それぞれ、窒化シリコン又は窒
化酸化シリコンを有することが好ましい。また、絶縁層１０５と絶縁層１１５は、それぞ
れ、酸化窒化シリコン膜及び窒化シリコン膜を有し、該酸化窒化シリコン膜及び該窒化シ
リコン膜は接することが好ましい。酸化窒化シリコン膜と、窒化シリコン膜と、を交互に
積層し、逆位相の干渉が可視領域で多く起こるようにすることで、積層体の可視領域にお
ける透過率を高めることができる。
【０１２１】
発光装置が有するトランジスタの構造は特に限定されない。例えば、スタガ型のトランジ
スタとしてもよいし、逆スタガ型のトランジスタとしてもよい。また、トップゲート型又
はボトムゲート型のいずれのトランジスタ構造としてもよい。トランジスタに用いる半導
体材料は特に限定されず、例えば、シリコン、ゲルマニウム、有機半導体等が挙げられる
。または、Ｉｎ−Ｇａ−Ｚｎ系金属酸化物などの、インジウム、ガリウム、亜鉛のうち少
なくとも一つを含む酸化物半導体を用いてもよい。
【０１２２】
トランジスタに用いる半導体材料の結晶性についても特に限定されず、非晶質半導体、結
晶性を有する半導体（微結晶半導体、多結晶半導体、単結晶半導体、又は一部に結晶領域
を有する半導体）のいずれを用いてもよい。結晶性を有する半導体を用いると、トランジ
スタ特性の劣化を抑制できるため好ましい。
【０１２３】
トランジスタの特性安定化等のため、下地膜を設けることが好ましい。下地膜としては、
酸化シリコン膜、窒化シリコン膜、酸化窒化シリコン膜、窒化酸化シリコン膜などの無機
絶縁膜を用い、単層で又は積層して作製することができる。下地膜はスパッタリング法、
ＣＶＤ（Ｃｈｅｍｉｃａｌ  Ｖａｐｏｒ  Ｄｅｐｏｓｉｔｉｏｎ）法（プラズマＣＶＤ法
、熱ＣＶＤ法、ＭＯＣＶＤ（Ｍｅｔａｌ  Ｏｒｇａｎｉｃ  ＣＶＤ）法など）、ＡＬＤ（
Ａｔｏｍｉｃ  Ｌａｙｅｒ  Ｄｅｐｏｓｉｔｉｏｎ）法、塗布法、印刷法等を用いて形成
できる。なお、下地膜は、必要で無ければ設けなくてもよい。上記各構成例では、絶縁層
１０５がトランジスタの下地膜を兼ねることができる。
【０１２４】
発光素子としては、自発光が可能な素子を用いることができ、電流又は電圧によって輝度
が制御される素子をその範疇に含んでいる。例えば、発光ダイオード（ＬＥＤ）、有機Ｅ
Ｌ素子、無機ＥＬ素子等を用いることができる。
【０１２５】
発光素子は、トップエミッション型、ボトムエミッション型、デュアルエミッション型の
いずれであってもよい。光を取り出す側の電極には、可視光を透過する導電膜を用いる。
また、光を取り出さない側の電極には、可視光を反射する導電膜を用いることが好ましい
。
【０１２６】
可視光を透過する導電膜は、例えば、酸化インジウム、インジウム錫酸化物（ＩＴＯ：Ｉ
ｎｄｉｕｍ  Ｔｉｎ  Ｏｘｉｄｅ）、インジウム亜鉛酸化物、酸化亜鉛（ＺｎＯ）、ガリ
ウムを添加した酸化亜鉛などを用いて形成することができる。また、金、銀、白金、マグ
ネシウム、ニッケル、タングステン、クロム、モリブデン、鉄、コバルト、銅、パラジウ
ム、もしくはチタン等の金属材料、これら金属材料を含む合金、又はこれら金属材料の窒
化物（例えば、窒化チタン）等も、透光性を有する程度に薄く形成することで用いること
ができる。また、上記材料の積層膜を導電膜として用いることができる。例えば、銀とマ
グネシウムの合金とＩＴＯの積層膜などを用いると、導電性を高めることができるため好
ましい。また、グラフェン等を用いてもよい。
【０１２７】
可視光を反射する導電膜は、例えば、アルミニウム、金、白金、銀、ニッケル、タングス
テン、クロム、モリブデン、鉄、コバルト、銅、もしくはパラジウム等の金属材料、又は
これら金属材料を含む合金を用いることができる。また、上記金属材料や合金に、ランタ
ン、ネオジム、又はゲルマニウム等が添加されていてもよい。また、アルミニウムとチタ
ンの合金、アルミニウムとニッケルの合金、アルミニウムとネオジムの合金等のアルミニ
ウムを含む合金（アルミニウム合金）や、銀と銅の合金、銀とパラジウムと銅の合金、銀
とマグネシウムの合金等の銀を含む合金を用いて形成することができる。銀と銅を含む合
金は、耐熱性が高いため好ましい。さらに、アルミニウム合金膜に接する金属膜又は金属
酸化物膜を積層することで、アルミニウム合金膜の酸化を抑制することができる。該金属
膜、金属酸化物膜の材料としては、チタン、酸化チタンなどが挙げられる。また、上記可
視光を透過する導電膜と金属材料からなる膜とを積層してもよい。例えば、銀とＩＴＯの
積層膜、銀とマグネシウムの合金とＩＴＯの積層膜などを用いることができる。
【０１２８】
電極は、それぞれ、蒸着法やスパッタリング法を用いて形成すればよい。そのほか、イン
クジェット法などの吐出法、スクリーン印刷法などの印刷法、又はメッキ法を用いて形成
することができる。
【０１２９】
下部電極８３１及び上部電極８３５の間に、発光素子の閾値電圧より高い電圧を印加する
と、ＥＬ層８３３に陽極側から正孔が注入され、陰極側から電子が注入される。注入され
た電子と正孔はＥＬ層８３３において再結合し、ＥＬ層８３３に含まれる発光物質が発光
する。
【０１３０】
ＥＬ層８３３は少なくとも発光層を有する。ＥＬ層８３３は、発光層以外の層として、正
孔注入性の高い物質、正孔輸送性の高い物質、正孔ブロック材料、電子輸送性の高い物質
、電子注入性の高い物質、又はバイポーラ性の物質（電子輸送性及び正孔輸送性が高い物
質）等を含む層をさらに有していてもよい。
【０１３１】
ＥＬ層８３３には低分子系化合物及び高分子系化合物のいずれを用いることもでき、無機
化合物を含んでいてもよい。ＥＬ層８３３を構成する層は、それぞれ、蒸着法（真空蒸着
法を含む）、転写法、印刷法、インクジェット法、塗布法等の方法で形成することができ
る。
【０１３２】
発光素子８３０は、２種類以上の発光物質を含んでいてもよい。これにより、例えば、白
色発光の発光素子を実現することができる。例えば２種類以上の発光物質の各々の発光が
補色の関係となるように、発光物質を選択することにより白色発光を得ることができる。
例えば、Ｒ（赤）、Ｇ（緑）、Ｂ（青）、Ｙ（黄）、又はＯ（橙）等の発光を示す発光物
質や、Ｒ、Ｇ、Ｂのうち２以上の色のスペクトル成分を含む発光を示す発光物質を用いる
ことができる。例えば、青の発光を示す発光物質と、黄の発光を示す発光物質を用いても
よい。このとき、黄の発光を示す発光物質の発光スペクトルは、緑及び赤のスペクトル成
分を含むことが好ましい。また、発光素子８３０の発光スペクトルは、可視領域の波長（
例えば３５０ｎｍ以上７５０ｎｍ以下、又は４００ｎｍ以上８００ｎｍ以下など）の範囲
内に２以上のピークを有することが好ましい。
【０１３３】
ＥＬ層８３３は、複数の発光層を有していてもよい。ＥＬ層８３３において、複数の発光
層は、互いに接して積層されていてもよいし、分離層を介して積層されていてもよい。例
えば、蛍光発光層と、燐光発光層との間に、分離層を設けてもよい。
【０１３４】
分離層は、例えば、燐光発光層中で生成する燐光材料等の励起状態から蛍光発光層中の蛍
光材料等へのデクスター機構によるエネルギー移動（特に三重項エネルギー移動）を防ぐ
ために設けることができる。分離層は数ｎｍ程度の厚さがあればよい。具体的には、０．
１ｎｍ以上２０ｎｍ以下、あるいは１ｎｍ以上１０ｎｍ以下、あるいは１ｎｍ以上５ｎｍ
以下である。分離層は、単一の材料（好ましくはバイポーラ性の物質）、又は複数の材料
（好ましくは正孔輸送性材料及び電子輸送性材料）を含む。
【０１３５】
分離層は、該分離層と接する発光層に含まれる材料を用いて形成してもよい。これにより
、発光素子の作製が容易になり、また、駆動電圧が低減される。例えば、燐光発光層が、
ホスト材料、アシスト材料、及び燐光材料（ゲスト材料）からなる場合、分離層を、該ホ
スト材料及び該アシスト材料で形成してもよい。上記構成を別言すると、分離層は、燐光
材料を含まない領域を有し、燐光発光層は、燐光材料を含む領域を有する。これにより、
分離層と燐光発光層とを燐光材料の有無で蒸着することが可能となる。また、このような
構成とすることで、分離層と燐光発光層を同じチャンバーで成膜することが可能となる。
これにより、製造コストを削減することができる。
【０１３６】
また、発光素子８３０は、ＥＬ層を１つ有するシングル素子であってもよいし、電荷発生
層を介して積層されたＥＬ層を複数有するタンデム素子であってもよい。
【０１３７】
発光素子は、一対の防湿性の高い絶縁膜の間に設けられていることが好ましい。これによ
り、発光素子に水分等の不純物が侵入することを抑制でき、発光装置の信頼性の低下を抑
制できる。
【０１３８】
絶縁層８１５としては、例えば、酸化シリコン膜、酸化窒化シリコン膜、酸化アルミニウ
ム膜などの無機絶縁膜を用いることができる。また、絶縁層８１７、絶縁層８１７ａ、及
び絶縁層８１７ｂとしては、例えば、ポリイミド、アクリル、ポリアミド、ポリイミドア
ミド、ベンゾシクロブテン系樹脂等の有機材料をそれぞれ用いることができる。また、低
誘電率材料（ｌｏｗ−ｋ材料）等を用いることができる。また、絶縁膜を複数積層させる
ことで、各絶縁層を形成してもよい。
【０１３９】
絶縁層８２１としては、有機絶縁材料又は無機絶縁材料を用いて形成する。樹脂としては
、例えば、ポリイミド樹脂、ポリアミド樹脂、アクリル樹脂、シロキサン樹脂、エポキシ
樹脂、又はフェノール樹脂等を用いることができる。特に感光性の樹脂材料を用い、下部
電極８３１上に開口部を形成し、絶縁層８２１の側壁が曲率を持って形成される傾斜面と
なるように形成することが好ましい。
【０１４０】
絶縁層８２１の形成方法は、特に限定されないが、フォトリソグラフィ法、スパッタ法、
蒸着法、液滴吐出法（インクジェット法等）、印刷法（スクリーン印刷、オフセット印刷
等）等を用いればよい。
【０１４１】
スペーサ８２３は、無機絶縁材料、有機絶縁材料、金属材料等を用いて形成することがで
きる。例えば、無機絶縁材料や有機絶縁材料としては、上記絶縁層に用いることができる
各種材料が挙げられる。金属材料としては、チタン、アルミニウムなどを用いることがで
きる。導電材料を含むスペーサ８２３と上部電極８３５とを電気的に接続させる構成とす
ることで、上部電極８３５の抵抗に起因した電位降下を抑制できる。また、スペーサ８２
３は、順テーパ形状であっても逆テーパ形状であってもよい。
【０１４２】
トランジスタの電極や配線、又は発光素子の補助電極等として機能する、発光装置に用い
る導電層は、例えば、モリブデン、チタン、クロム、タンタル、タングステン、アルミニ
ウム、銅、ネオジム、スカンジウム等の金属材料又はこれらの元素を含む合金材料を用い
て、単層で又は積層して形成することができる。また、導電層は、導電性の金属酸化物を
用いて形成してもよい。導電性の金属酸化物としては酸化インジウム（Ｉｎ２Ｏ３等）、
酸化スズ（ＳｎＯ２等）、ＺｎＯ、ＩＴＯ、インジウム亜鉛酸化物（Ｉｎ２Ｏ３−ＺｎＯ
等）又はこれらの金属酸化物材料に酸化シリコンを含ませたものを用いることができる。
【０１４３】
着色層は特定の波長帯域の光を透過する有色層である。例えば、赤色の波長帯域の光を透
過する赤色（Ｒ）のカラーフィルタ、緑色の波長帯域の光を透過する緑色（Ｇ）のカラー
フィルタ、青色の波長帯域の光を透過する青色（Ｂ）のカラーフィルタ、黄色の波長帯域
の光を透過する黄色（Ｙ）のカラーフィルタなどを用いることができる。各着色層は、様
々な材料を用いて、印刷法、インクジェット法、フォトリソグラフィ法を用いたエッチン
グ方法などでそれぞれ所望の位置に形成する。また、白色の副画素では、発光素子と重ね
て透明又は白色等の樹脂を配置してもよい。
【０１４４】
遮光層は、隣接する着色層の間に設けられている。遮光層は隣接する発光素子からの光を
遮光し、隣接する発光素子間における混色を抑制する。ここで、着色層の端部を、遮光層
と重なるように設けることにより、光漏れを抑制することができる。遮光層としては、発
光素子からの発光を遮る材料を用いることができ、例えば、金属材料や顔料や染料を含む
樹脂材料を用いてブラックマトリクスを形成すればよい。なお、遮光層は、駆動回路部な
どの発光部以外の領域に設けると、導波光などによる意図しない光漏れを抑制できるため
好ましい。
【０１４５】
また、着色層及び遮光層を覆うオーバーコートを設けてもよい。オーバーコートを設ける
ことで、着色層に含有された不純物等の発光素子への拡散を防止することができる。オー
バーコートは、発光素子からの発光を透過する材料から構成され、例えば窒化シリコン膜
、酸化シリコン膜等の無機絶縁膜や、アクリル膜、ポリイミド膜等の有機絶縁膜を用いる
ことができ、有機絶縁膜と無機絶縁膜との積層構造としてもよい。
【０１４６】
また、接着層の材料を着色層及び遮光層上に塗布する場合、オーバーコートの材料として
接着層の材料に対してぬれ性の高い材料を用いることが好ましい。例えば、オーバーコー
トとして、ＩＴＯ膜などの酸化物導電膜や、透光性を有する程度に薄いＡｇ膜等の金属膜
を用いることが好ましい。
【０１４７】
接続体としては、様々な異方性導電フィルム（ＡＣＦ：Ａｎｉｓｏｔｒｏｐｉｃ  Ｃｏｎ
ｄｕｃｔｉｖｅ  Ｆｉｌｍ）や、異方性導電ペースト（ＡＣＰ：Ａｎｉｓｏｔｒｏｐｉｃ
Ｃｏｎｄｕｃｔｉｖｅ  Ｐａｓｔｅ）などを用いることができる。
【０１４８】
なお、本実施の形態では、発光装置を例に説明したが、本発明の一態様は、半導体装置、
表示装置、入出力装置等の各種装置に適用することができる。
【０１４９】
本明細書等において、表示素子、表示素子を有する装置である表示装置、発光素子、及び
発光素子を有する装置である発光装置は、様々な形態を用いること、又は様々な素子を有
することができる。表示素子、表示装置、発光素子又は発光装置は、例えば、ＥＬ素子（
有機物及び無機物を含むＥＬ素子、有機ＥＬ素子、無機ＥＬ素子）、ＬＥＤ（白色ＬＥＤ
、赤色ＬＥＤ、緑色ＬＥＤ、青色ＬＥＤなど）、トランジスタ（電流に応じて発光するト
ランジスタ）、電子放出素子、液晶素子、電子インク、電気泳動素子、グレーティングラ
イトバルブ（ＧＬＶ）、プラズマディスプレイパネル（ＰＤＰ）、ＭＥＭＳ（マイクロ・
エレクトロ・メカニカル・システム）を用いた表示素子、デジタルマイクロミラーデバイ
ス（ＤＭＤ）、ＤＭＳ（デジタル・マイクロ・シャッター）、干渉変調（ＩＭＯＤ）素子
、シャッター方式のＭＥＭＳ表示素子、光干渉方式のＭＥＭＳ表示素子、エレクトロウェ
ッティング素子、圧電セラミックディスプレイ、カーボンナノチューブを用いた表示素子
などの少なくとも一つを有している。これらの他にも、電気的又は磁気的作用により、コ
ントラスト、輝度、反射率、透過率などが変化する表示媒体を有していてもよい。ＥＬ素
子を用いた表示装置の一例としては、ＥＬディスプレイなどがある。電子放出素子を用い
た表示装置の一例としては、フィールドエミッションディスプレイ（ＦＥＤ）又はＳＥＤ
方式平面型ディスプレイ（ＳＥＤ：Ｓｕｒｆａｃｅ−ｃｏｎｄｕｃｔｉｏｎ  Ｅｌｅｃｔ
ｒｏｎ−ｅｍｉｔｔｅｒ  Ｄｉｓｐｌａｙ）などがある。液晶素子を用いた表示装置の一
例としては、液晶ディスプレイ（透過型液晶ディスプレイ、半透過型液晶ディスプレイ、
反射型液晶ディスプレイ、直視型液晶ディスプレイ、投射型液晶ディスプレイ）などがあ
る。電子インク、電子粉流体（登録商標）、又は電気泳動素子を用いた表示装置の一例と
しては、電子ペーパーなどがある。なお、半透過型液晶ディスプレイや反射型液晶ディス
プレイを実現する場合には、画素電極の一部又は全部が、反射電極としての機能を有する
ようにすればよい。例えば、画素電極の一部又は全部が、アルミニウム、銀などを有する
ようにすればよい。さらに、その場合、反射電極の下に、ＳＲＡＭなどの記憶回路を設け
ることも可能である。これにより、さらに、消費電力を低減することができる。なお、Ｌ
ＥＤを用いる場合、ＬＥＤの電極や窒化物半導体の下に、グラフェンやグラファイトを配
置してもよい。グラフェンやグラファイトは、複数の層を重ねて、多層膜としてもよい。
このように、グラフェンやグラファイトを設けることにより、その上に、窒化物半導体、
例えば、結晶を有するｎ型ＧａＮ半導体層などを容易に成膜することができる。さらに、
その上に、結晶を有するｐ型ＧａＮ半導体層などを設けて、ＬＥＤを構成することができ
る。なお、グラフェンやグラファイトと、結晶を有するｎ型ＧａＮ半導体層との間に、Ａ
ｌＮ層を設けてもよい。なお、ＬＥＤが有するＧａＮ半導体層は、ＭＯＣＶＤで成膜して
もよい。ただし、グラフェンを設けることにより、ＬＥＤが有するＧａＮ半導体層は、ス
パッタ法で成膜することも可能である。
【０１５０】
例えば、本明細書等において、画素に能動素子（アクティブ素子、非線形素子）を有する
アクティブマトリクス方式、又は画素に能動素子を有しないパッシブマトリクス方式を用
いることができる。
【０１５１】
アクティブマトリクス方式では、能動素子として、トランジスタだけでなく、さまざまな
能動素子を用いることができる。例えば、ＭＩＭ（Ｍｅｔａｌ  Ｉｎｓｕｌａｔｏｒ  Ｍ
ｅｔａｌ）、又はＴＦＤ（Ｔｈｉｎ  Ｆｉｌｍ  Ｄｉｏｄｅ）などを用いることも可能で
ある。これらの素子は、製造工程が少ないため、製造コストの低減、又は歩留まりの向上
を図ることができる。または、これらの素子は、素子のサイズが小さいため、開口率を向
上させることができ、低消費電力化や高輝度化を図ることができる。
【０１５２】
パッシブマトリクス方式では、能動素子を用いないため、製造工程が少なく、製造コスト
の低減、又は歩留まりの向上を図ることができる。または、能動素子を用いないため、開
口率を向上させることができ、低消費電力化、又は高輝度化などを図ることができる。
【０１５３】
なお、本発明の一態様の発光装置は、表示装置として用いてもよいし、照明装置として用
いてもよい。例えば、バックライトやフロントライトなどの光源、つまり、表示パネルの
ための照明装置として活用してもよい。
【０１５４】
以上、本実施の形態で示したように、本発明の一態様の発光装置は、一対の基板の厚さを
揃えることで、一方の基板と他方の基板に異なる材料を用いても、保存環境によらず、発
光装置の反りや歪みを抑制することができる。発光装置の反りや歪みを抑制することで、
発光装置の表示品位の低下や、発光装置内でのクラックの発生を抑制でき、信頼性を高め
ることができる。また、一方の基板と他方の基板は、それぞれに求められる性質の基板を
用いることができるため、材料の選択の幅が広がる。また、繰り返しの曲げに強い発光装
置を実現することができる。
【０１５５】
本実施の形態は、他の実施の形態と適宜組み合わせることができる。
【０１５６】
（実施の形態２）
本実施の形態では、本発明の一態様の入出力装置について図面を用いて説明する。なお、
入出力装置が有する構成要素のうち、実施の形態１で説明した発光装置と同様の構成要素
については、先の記載も参照することができる。また、本実施の形態では、発光素子を用
いた入出力装置を例示するが、これに限られない。例えば、実施の形態１に例示した他の
素子（表示素子など）を用いた入出力装置も本発明の一態様である。また、本実施の形態
で説明する入出力装置は、タッチパネルともいえる。
【０１５７】
本発明の一態様の入出力装置は、一対の基板の厚さを揃えることで、一方の基板と他方の
基板に異なる材料を用いても、保存環境によらず、入出力装置の反りや歪みを抑制するこ
とができる。入出力装置の反りや歪みを抑制することで、入出力装置の表示品位や検知感
度の低下や、入出力装置内でのクラックの発生を抑制でき、信頼性を高めることができる
。また、一方の基板と他方の基板は、それぞれに求められる性質の基板を用いることがで
きるため、材料の選択の幅が広がる。また、繰り返しの曲げに強い入出力装置を実現する
ことができる。
【０１５８】
＜構成例１＞
図４（Ａ）は入出力装置の上面図である。図４（Ｂ）は図４（Ａ）の一点鎖線Ａ−Ｂ間及
び一点鎖線Ｃ−Ｄ間の断面図である。図４（Ｃ）は図４（Ａ）の一点鎖線Ｅ−Ｆ間の断面
図である。
【０１５９】
図４（Ａ）に示す入出力装置３９０は、表示部３０１（入力部も兼ねる）、走査線駆動回
路３０３ｇ（１）、撮像画素駆動回路３０３ｇ（２）、画像信号線駆動回路３０３ｓ（１
）、及び撮像信号線駆動回路３０３ｓ（２）を有する。
【０１６０】
表示部３０１は、複数の画素３０２と、複数の撮像画素３０８と、を有する。
【０１６１】
画素３０２は、複数の副画素（例えば副画素３０２Ｒ）を有する。各副画素は、発光素子
及び画素回路を有する。
【０１６２】
画素回路は、発光素子を駆動する電力を供給することができる。画素回路は、選択信号を
供給することができる配線と電気的に接続される。また、画素回路は、画像信号を供給す
ることができる配線と電気的に接続される。
【０１６３】
走査線駆動回路３０３ｇ（１）は、選択信号を画素３０２に供給することができる。
【０１６４】
画像信号線駆動回路３０３ｓ（１）は、画像信号を画素３０２に供給することができる。
【０１６５】
撮像画素３０８を用いてタッチセンサを構成することができる。具体的には、撮像画素３
０８は、表示部３０１に触れる指等を検知することができる。
【０１６６】
撮像画素３０８は、光電変換素子及び撮像画素回路を有する。
【０１６７】
撮像画素回路は、光電変換素子を駆動することができる。撮像画素回路は、制御信号を供
給することができる配線と電気的に接続される。また、撮像画素回路は、電源電位を供給
することができる配線と電気的に接続される。
【０１６８】
制御信号としては、例えば、記録された撮像信号を読み出す撮像画素回路を選択すること
ができる信号、撮像画素回路を初期化することができる信号、及び撮像画素回路が光を検
知する時間を決定することができる信号などを挙げることができる。
【０１６９】
撮像画素駆動回路３０３ｇ（２）は、制御信号を撮像画素３０８に供給することができる
。
【０１７０】
撮像信号線駆動回路３０３ｓ（２）は、撮像信号を読み出すことができる。
【０１７１】
図４（Ｂ）、（Ｃ）に示すように、入出力装置３９０は、基板１０１、接着層１０３、絶
縁層１０５、基板１１１、接着層１１３、及び絶縁層１１５を有する。また、基板１０１
及び基板１１１は、接着層３６０で貼り合わされている。
【０１７２】
基板１０１と絶縁層１０５は接着層１０３で貼り合わされている。また、基板１１１と絶
縁層１１５は接着層１１３で貼り合わされている。これら基板、接着層、及び絶縁層に用
いることができる材料については実施の形態１を参照することができる。
【０１７３】
画素３０２は、副画素３０２Ｒ、副画素３０２Ｇ、及び副画素３０２Ｂを有する（図４（
Ｃ））。また、副画素３０２Ｒは発光モジュール３８０Ｒを有し、副画素３０２Ｇは発光
モジュール３８０Ｇを有し、副画素３０２Ｂは発光モジュール３８０Ｂを有する。
【０１７４】
例えば副画素３０２Ｒは、発光素子３５０Ｒ及び画素回路を有する。画素回路は、発光素
子３５０Ｒに電力を供給することができるトランジスタ３０２ｔを含む。また、発光モジ
ュール３８０Ｒは、発光素子３５０Ｒ及び光学素子（例えば赤色の光を透過する着色層３
６７Ｒ）を有する。
【０１７５】
発光素子３５０Ｒは、下部電極３５１Ｒ、ＥＬ層３５３、及び上部電極３５２をこの順で
積層して有する（図４（Ｃ））。
【０１７６】
ＥＬ層３５３は、第１のＥＬ層３５３ａ、中間層３５４、及び第２のＥＬ層３５３ｂをこ
の順で積層して有する。
【０１７７】
なお、特定の波長の光を効率よく取り出せるように、発光モジュール３８０Ｒにマイクロ
キャビティ構造を配設することができる。具体的には、特定の光を効率よく取り出せるよ
うに配置された可視光を反射する膜及び半反射・半透過する膜の間にＥＬ層を配置しても
よい。
【０１７８】
例えば、発光モジュール３８０Ｒは、発光素子３５０Ｒと着色層３６７Ｒに接する接着層
３６０を有する。
【０１７９】
着色層３６７Ｒは発光素子３５０Ｒと重なる位置にある。これにより、発光素子３５０Ｒ
が発する光の一部は、接着層３６０及び着色層３６７Ｒを透過して、図中の矢印に示すよ
うに発光モジュール３８０Ｒの外部に射出される。
【０１８０】
入出力装置３９０は、遮光層３６７ＢＭを有する。遮光層３６７ＢＭは、着色層（例えば
着色層３６７Ｒ）を囲むように設けられている。
【０１８１】
入出力装置３９０は、反射防止層３６７ｐを表示部３０１に重なる位置に有する。反射防
止層３６７ｐとして、例えば円偏光板を用いることができる。
【０１８２】
基板１１１は、発光素子の光を取り出す側の基板である。したがって、基板１１１は、基
板１０１よりも、波長４００ｎｍ以上８００ｎｍ以下における透過率の平均が高いことが
好ましい。
【０１８３】
基板１０１は、ＦＰＣが圧着される側の基板である。したがって、基板１０１は、基板１
１１よりも、ガラス転移温度が高いことが好ましい。
【０１８４】
本発明の一態様の入出力装置では、基板１０１及び接着層１０３の厚さの和と、基板１１
１及び接着層１１３の厚さの和を揃えてもよい。または、基板１０１及び接着層１０３の
厚さの和と、基板１１１、接着層１１３及び反射防止層３６７ｐの厚さの和を揃えてもよ
い。
【０１８５】
入出力装置３９０は、絶縁層３２１を有する。絶縁層３２１はトランジスタ３０２ｔ等を
覆っている。なお、絶縁層３２１は画素回路や撮像画素回路に起因する凹凸を平坦化する
ための層として用いることができる。また、不純物のトランジスタ３０２ｔ等への拡散を
抑制することができる層が積層された絶縁層を、絶縁層３２１に適用することができる。
【０１８６】
入出力装置３９０は、下部電極３５１Ｒの端部に重なる隔壁３２８を有する。また、基板
１０１と基板１１１の間隔を制御するスペーサ３２９を、隔壁３２８上に有する。
【０１８７】
画像信号線駆動回路３０３ｓ（１）は、トランジスタ３０３ｔ及び容量３０３ｃを含む。
なお、駆動回路は画素回路と同一の工程で同一基板上に形成することができる。図４（Ｂ
）に示すようにトランジスタ３０３ｔは絶縁層３２１上に第２のゲート３０４を有してい
てもよい。第２のゲート３０４はトランジスタ３０３ｔのゲートと電気的に接続されてい
てもよいし、これらに異なる電位が与えられていてもよい。また、必要であれば、第２の
ゲート３０４をトランジスタ３０８ｔ、トランジスタ３０２ｔ等に設けてもよい。
【０１８８】
撮像画素３０８は、光電変換素子３０８ｐ及び撮像画素回路を有する。撮像画素回路は、
光電変換素子３０８ｐに照射された光を検知することができる。撮像画素回路は、トラン
ジスタ３０８ｔを含む。
【０１８９】
例えばｐｉｎ型のフォトダイオードを光電変換素子３０８ｐに用いることができる。
【０１９０】
入出力装置３９０は、信号を供給することができる配線３１１を有し、端子３１９が配線
３１１に設けられている。なお、画像信号及び同期信号等の信号を供給することができる
ＦＰＣ３０９が端子３１９に電気的に接続されている。なお、ＦＰＣ３０９にはプリント
配線基板（ＰＷＢ）が取り付けられていてもよい。
【０１９１】
なお、トランジスタ３０２ｔ、トランジスタ３０３ｔ、トランジスタ３０８ｔ等のトラン
ジスタは、同一の工程で形成することができる。または、それぞれ異なる工程で形成して
もよい。
【０１９２】
＜構成例２＞
図５（Ａ）、（Ｂ）は、入出力装置５０５の斜視図である。なお明瞭化のため、代表的な
構成要素を示す。図６は、図５（Ａ）に示す一点鎖線Ｘ１−Ｘ２間の断面図である。
【０１９３】
図５（Ａ）、（Ｂ）に示すように、入出力装置５０５は、表示部５０１、走査線駆動回路
３０３ｇ（１）、及びタッチセンサ５９５等を有する。また、入出力装置５０５は、基板
１０１、基板１１１、及び基板５９０を有する。
【０１９４】
基板１１１及び基板５９０は、発光素子の光を取り出す側の基板である。したがって、基
板１１１は、基板１０１よりも、波長４００ｎｍ以上８００ｎｍ以下における透過率の平
均が高いことが好ましい。また、基板５９０は、基板１０１よりも、波長４００ｎｍ以上
８００ｎｍ以下における透過率の平均が高いことが好ましい。
【０１９５】
入出力装置５０５は、複数の画素及び複数の配線３１１を有する。複数の配線３１１は、
画素に信号を供給することができる。複数の配線３１１は、基板１０１の外周部にまで引
き回され、その一部が端子３１９を構成している。端子３１９はＦＰＣ５０９（１）と電
気的に接続する。
【０１９６】
入出力装置５０５は、タッチセンサ５９５及び複数の配線５９８を有する。複数の配線５
９８は、タッチセンサ５９５と電気的に接続される。複数の配線５９８は基板５９０の外
周部に引き回され、その一部は端子を構成する。そして、当該端子はＦＰＣ５０９（２）
と電気的に接続される。なお、図５（Ｂ）では明瞭化のため、基板５９０の裏面側（基板
１０１と対向する面側）に設けられるタッチセンサ５９５の電極や配線等を実線で示して
いる。
【０１９７】
タッチセンサ５９５には、例えば静電容量方式のタッチセンサを適用できる。静電容量方
式としては、表面型静電容量方式、投影型静電容量方式等がある。ここでは、投影型静電
容量方式のタッチセンサを適用する場合を示す。
【０１９８】
投影型静電容量方式としては、自己容量方式、相互容量方式などがある。相互容量方式を
用いると同時多点検出が可能となるため好ましい。
【０１９９】
なお、タッチセンサ５９５には、指等の検知対象の近接または接触を検知することができ
るさまざまなセンサを適用することができる。
【０２００】
投影型静電容量方式のタッチセンサ５９５は、電極５９１と電極５９２を有する。電極５
９１は複数の配線５９８のいずれかと電気的に接続し、電極５９２は複数の配線５９８の
他のいずれかと電気的に接続する。
【０２０１】
電極５９２は、図５（Ａ）、（Ｂ）に示すように、一方向に繰り返し配置された複数の四
辺形が角部で接続された形状を有する。
【０２０２】
電極５９１は四辺形であり、電極５９２が延在する方向と交差する方向に繰り返し配置さ
れている。なお、複数の電極５９１は、一の電極５９２と必ずしも直交する方向に配置さ
れる必要はなく、９０度未満の角度をなすように配置されてもよい。
【０２０３】
配線５９４は電極５９２と交差して設けられている。配線５９４は、電極５９２の１つを
挟む２つの電極５９１を電気的に接続する。このとき、電極５９２と配線５９４の交差部
の面積ができるだけ小さくなる形状が好ましい。これにより、電極が設けられていない領
域の面積を低減でき、透過率のムラを低減できる。その結果、タッチセンサ５９５を透過
する光の輝度ムラを低減することができる。
【０２０４】
なお、電極５９１、電極５９２の形状はこれに限られず、様々な形状を取りうる。例えば
、帯状の複数の第１の電極をできるだけ隙間が生じないように配置し、絶縁層を介して帯
状の複数の第２の電極を、第１の電極と交差するよう配置する。このとき、隣接する２つ
の第２の電極は離間して設ける構成としてもよい。このとき、隣接する２つの第２の電極
の間に、これらとは電気的に絶縁されたダミー電極を設けると、透過率の異なる領域の面
積を低減できるため好ましい。
【０２０５】
図６（Ａ）に示すように、入出力装置５０５は、基板１０１、接着層１０３、絶縁層１０
５、基板１１１、接着層１１３、及び絶縁層１１５を有する。また、基板１０１及び基板
１１１は、接着層３６０で貼り合わされている。
【０２０６】
接着層５９７は、タッチセンサ５９５が表示部５０１に重なるように、基板５９０を基板
１１１に貼り合わせている。接着層５９７は、透光性を有する。
【０２０７】
電極５９１及び電極５９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。なお
、グラフェンを含む膜を用いることもできる。グラフェンを含む膜は、例えば膜状に形成
された酸化グラフェンを含む膜を還元して形成することができる。還元する方法としては
、熱を加える方法等を挙げることができる。
【０２０８】
また、電極５９１、電極５９２、配線５９４などの導電膜、つまり、タッチパネルを構成
する配線や電極に用いる材料の抵抗値が低いことが望ましい。一例として、ＩＴＯ、イン
ジウム亜鉛酸化物、ＺｎＯ、銀、銅、アルミニウム、カーボンナノチューブ、グラフェン
などを用いてもよい。さらに、非常に細くした（例えば、直径が数ナノメートル）、多数
の導電体を用いて構成される金属ナノワイヤを用いてもよい。一例としては、Ａｇナノワ
イヤ、Ｃｕナノワイヤ、又はＡｌナノワイヤ等を用いてもよい。Ａｇナノワイヤの場合、
例えば、８９％以上の光透過率、４０Ω／□以上１００Ω／□以下のシート抵抗値を実現
することができる。なお、透過率が高いため、表示素子に用いる電極、例えば、画素電極
や共通電極に、金属ナノワイヤ、カーボンナノチューブ、グラフェンなどを用いてもよい
。
【０２０９】
透光性を有する導電性材料を基板５９０上にスパッタリング法により成膜した後、フォト
リソグラフィ法等の様々なパターニング技術により、不要な部分を除去して、電極５９１
及び電極５９２を形成することができる。
【０２１０】
電極５９１及び電極５９２は絶縁層５９３で覆われている。また、電極５９１に達する開
口が絶縁層５９３に設けられ、配線５９４が隣接する電極５９１を電気的に接続する。透
光性の導電性材料は、入出力装置の開口率を高まることができるため、配線５９４に好適
に用いることができる。また、電極５９１及び電極５９２より導電性の高い材料は、電気
抵抗を低減できるため配線５９４に好適に用いることができる。
【０２１１】
なお、絶縁層５９３及び配線５９４を覆う絶縁層を設けて、タッチセンサ５９５を保護す
ることができる。
【０２１２】
また、接続層５９９は、配線５９８とＦＰＣ５０９（２）を電気的に接続する。
【０２１３】
表示部５０１は、マトリクス状に配置された複数の画素を有する。画素は、構成例１と同
様であるため、説明を省略する。
【０２１４】
なお、様々なトランジスタを入出力装置に適用できる。ボトムゲート型のトランジスタを
適用する場合の構成を、図６（Ａ）、（Ｂ）に示す。
【０２１５】
例えば、酸化物半導体、アモルファスシリコン等を含む半導体層を、図６（Ａ）に示すト
ランジスタ３０２ｔ及びトランジスタ３０３ｔに適用することができる。
【０２１６】
例えば、レーザーアニールなどの処理により結晶化させた多結晶シリコンを含む半導体層
を、図６（Ｂ）に示すトランジスタ３０２ｔ及びトランジスタ３０３ｔに適用することが
できる。
【０２１７】
また、トップゲート型のトランジスタを適用する場合の構成を、図６（Ｃ）に示す。
【０２１８】
例えば、多結晶シリコンまたは単結晶シリコン基板等から転置された単結晶シリコン膜等
を含む半導体層を、図６（Ｃ）に示すトランジスタ３０２ｔ及びトランジスタ３０３ｔに
適用することができる。
【０２１９】
＜構成例３＞
図７は、入出力装置５０５Ｂの断面図である。本実施の形態で説明する入出力装置５０５
Ｂは、供給された画像情報をトランジスタが設けられている側に表示する点及びタッチセ
ンサが表示部の基板１０１側に設けられている点が、構成例２の入出力装置５０５とは異
なる。ここでは異なる構成について詳細に説明し、同様の構成を用いることができる部分
は、上記の説明を援用する。
【０２２０】
着色層３６７Ｒは発光素子３５０Ｒと重なる位置にある。また、図７（Ａ）に示す発光素
子３５０Ｒは、トランジスタ３０２ｔが設けられている側に光を射出する。これにより、
発光素子３５０Ｒが発する光の一部は着色層３６７Ｒを透過して、図中に示す矢印の方向
の発光モジュール３８０Ｒの外部に射出される。
【０２２１】
入出力装置５０５Ｂは、光を射出する方向に遮光層３６７ＢＭを有する。遮光層３６７Ｂ
Ｍは、着色層（例えば着色層３６７Ｒ）を囲むように設けられている。
【０２２２】
タッチセンサ５９５は、基板１１１側でなく、基板１０１側に設けられている（図７（Ａ
））。
【０２２３】
基板１０１及び基板５９０は、発光素子の光を取り出す側の基板である。したがって、基
板１０１は、基板１１１よりも、波長４００ｎｍ以上８００ｎｍ以下における透過率の平
均が高いことが好ましい。また、基板５９０は、基板１１１よりも、波長４００ｎｍ以上
８００ｎｍ以下における透過率の平均が高いことが好ましい。
【０２２４】
接着層５９７は、タッチセンサ５９５が表示部に重なるように、基板５９０を基板１０１
に貼り合わせている。接着層５９７は、透光性を有する。
【０２２５】
なお、ボトムゲート型のトランジスタを表示部５０１に適用する場合の構成を、図７（Ａ
）、（Ｂ）に示す。
【０２２６】
例えば、酸化物半導体、アモルファスシリコン等を含む半導体層を、図７（Ａ）に示すト
ランジスタ３０２ｔ及びトランジスタ３０３ｔに適用することができる。
【０２２７】
例えば、多結晶シリコン等を含む半導体層を、図７（Ｂ）に示すトランジスタ３０２ｔ及
びトランジスタ３０３ｔに適用することができる。
【０２２８】
また、トップゲート型のトランジスタを適用する場合の構成を、図７（Ｃ）に示す。
【０２２９】
例えば、多結晶シリコン又は単結晶シリコン基板から転置された単結晶シリコン膜等を含
む半導体層を、図７（Ｃ）に示すトランジスタ３０２ｔ及びトランジスタ３０３ｔに適用
することができる。
【０２３０】
＜構成例４＞
図８に示すように、入出力装置５００ＴＰは、表示部５００及び入力部６００を重ねて有
する。図９は、図８に示す一点鎖線Ｚ１−Ｚ２間の断面図である。
【０２３１】
以下に、入出力装置５００ＴＰを構成する個々の要素について説明する。なお、これらの
構成は明確に分離できず、一つの構成が他の構成を兼ねる場合や他の構成の一部を含む場
合がある。なお、表示部５００に入力部６００が重ねられた入出力装置５００ＴＰをタッ
チパネルともいう。
【０２３２】
入力部６００は、マトリクス状に配設される複数の検知ユニット６０２を有する。また、
入力部６００は、選択信号線Ｇ１、制御線ＲＥＳ、信号線ＤＬなどを有する。
【０２３３】
選択信号線Ｇ１や制御線ＲＥＳは、行方向（図中に矢印Ｒで示す）に配置される複数の検
知ユニット６０２と電気的に接続される。信号線ＤＬは、列方向（図中に矢印Ｃで示す）
に配置される複数の検知ユニット６０２と電気的に接続される。
【０２３４】
検知ユニット６０２は近接又は接触するものを検知して検知信号を供給する。例えば静電
容量、照度、磁力、電波又は圧力等を検知して、検知した物理量に基づく情報を供給する
。具体的には、容量素子、光電変換素子、磁気検知素子、圧電素子又は共振器等を検知素
子に用いることができる。
【０２３５】
検知ユニット６０２は、例えば、近接又は接触するものとの間の静電容量の変化を検知す
る。
【０２３６】
なお、大気中において、指などの大気より大きな誘電率を有するものが導電膜に近接する
と、指と導電膜の間の静電容量が変化する。この静電容量の変化を検知して検知情報を供
給することができる。
【０２３７】
例えば、静電容量の変化に伴い電荷の分配が引き起こされ、容量素子の両端の電極の電圧
が変化する。この電圧の変化を検知信号に用いることができる。
【０２３８】
検知ユニット６０２は検知回路を有する。検知回路は、選択信号線Ｇ１、制御線ＲＥＳ又
は信号線ＤＬなどに電気的に接続される。
【０２３９】
検知回路は、トランジスタ又は／及び検知素子等を有する。例えば、導電膜と、当該導電
膜に電気的に接続される容量素子と、を検知回路に用いることができる。また、容量素子
と、当該容量素子に電気的に接続されるトランジスタと、を検知回路に用いることができ
る。
【０２４０】
検知回路には、例えば、絶縁層６５３と、絶縁層６５３を挟持する第１の電極６５１及び
第２の電極６５２と、を有する容量素子６５０を用いることができる（図９）。容量素子
６５０の電極間の電圧は一方の電極に電気的に接続された導電膜にものが近接することに
より変化する。
【０２４１】
検知ユニット６０２は、制御信号に基づいて導通状態又は非導通状態にすることができる
スイッチを有する。例えば、トランジスタＭ１２をスイッチに用いることができる。
【０２４２】
また、検知信号を増幅するトランジスタを検知ユニット６０２に用いることができる。
【０２４３】
同一の工程で作製することができるトランジスタを、検知信号を増幅するトランジスタ及
びスイッチに用いることができる。これにより、作製工程が簡略化された入力部６００を
提供できる。
【０２４４】
また、検知ユニットはマトリクス状に配置された複数の窓部６６７を有する。窓部６６７
は可視光を透過し、複数の窓部６６７の間に遮光性の層３６７ＢＭを配設してもよい。
【０２４５】
入出力装置５００ＴＰは、窓部６６７に重なる位置に着色層を有する。着色層は、所定の
色の光を透過する。なお、着色層はカラーフィルタということができる。例えば、青色の
光を透過する着色層３６７Ｂ、緑色の光を透過する着色層３６７Ｇ、又は赤色の光を透過
する着色層３６７Ｒを用いることができる。また、黄色の光を透過する着色層や白色の光
を透過する着色層を用いてもよい。
【０２４６】
表示部５００は、マトリクス状に配置された複数の画素３０２を有する。画素３０２は入
力部６００の窓部６６７と重なるように配置されている。画素３０２は、検知ユニット６
０２に比べて高い精細度で配設されてもよい。画素は、構成例１と同様であるため、説明
を省略する。
【０２４７】
基板１１１は、発光素子の光を取り出す側の基板である。したがって、基板１１１は、基
板１０１よりも、波長４００ｎｍ以上８００ｎｍ以下における透過率の平均が高いことが
好ましい。
【０２４８】
入出力装置５００ＴＰは、可視光を透過する窓部６６７及びマトリクス状に配設される複
数の検知ユニット６０２を有する入力部６００と、窓部６６７に重なる画素３０２を複数
有する表示部５００と、を有し、窓部６６７と画素３０２の間に着色層を含んで構成され
る。また、それぞれの検知ユニットに他の検知ユニットへの干渉を低減することができる
スイッチが配設されている。
【０２４９】
これにより、各検知ユニットが検知する検知情報を検知ユニットの位置情報と共に供給す
ることができる。また、画像を表示する画素の位置情報に関連付けて検知情報を供給する
ことができる。また、検知情報を供給させない検知ユニットと信号線を非導通状態にする
ことで、検知信号を供給させる検知ユニットへの干渉を低減することができる。その結果
、利便性又は信頼性に優れた新規な入出力装置５００ＴＰを提供することができる。
【０２５０】
例えば、入出力装置５００ＴＰの入力部６００は検知情報を検知して位置情報と共に供給
することができる。具体的には、入出力装置５００ＴＰの使用者は、入力部６００に触れ
た指等をポインタに用いて様々なジェスチャー（タップ、ドラッグ、スワイプ又はピンチ
イン等）をすることができる。
【０２５１】
入力部６００は、入力部６００に近接又は接触する指等を検知して、検知した位置又は軌
跡等を含む検知情報を供給することができる。
【０２５２】
演算装置は供給された情報が所定の条件を満たすか否かをプログラム等に基づいて判断し
、所定のジェスチャーに関連付けられた命令を実行する。
【０２５３】
これにより、入力部６００の使用者は、指等を用いて所定のジェスチャーを供給し、所定
のジェスチャーに関連付けられた命令を演算装置に実行させることができる。
【０２５４】
例えば、入出力装置５００ＴＰの入力部６００は、まず、一の信号線に検知情報を供給す
ることができる複数の検知ユニットから一の検知ユニットＸを選択する。そして、検知ユ
ニットＸを除いた他の検知ユニットと当該一の信号線を非導通状態にする。これにより、
他の検知ユニットがもたらす検知ユニットＸへの干渉を低減することができる。
【０２５５】
具体的には、他の検知ユニットの検知素子がもたらす検知ユニットＸの検知素子への干渉
を低減できる。
【０２５６】
例えば、容量素子及び当該容量素子の一の電極が電気的に接続された導電膜を検知素子に
用いる場合において、他の検知ユニットの導電膜の電位がもたらす、検知ユニットＸの導
電膜の電位への干渉を低減することができる。
【０２５７】
これにより、入出力装置５００ＴＰはその大きさに依存することなく、検知ユニットを駆
動して、検知情報を供給させることができる。例えば、ハンドヘルド型に用いることがで
きる大きさから、電子黒板に用いることができる大きさまで、さまざまな大きさの入出力
装置５００ＴＰを提供することができる。
【０２５８】
また、入出力装置５００ＴＰは、折り畳まれた状態及び展開された状態にすることができ
る。そして、折り畳まれた状態と展開された状態とで、他の検知ユニットがもたらす検知
ユニットＸへの干渉が異なる場合においても、入出力装置５００ＴＰの状態に依存するこ
となく検知ユニットを駆動して、検知情報を供給させることができる。
【０２５９】
また、入出力装置５００ＴＰの表示部５００は表示情報を供給されることができる。例え
ば、演算装置は表示情報を供給することができる。
【０２６０】
以上の構成に加えて、入出力装置５００ＴＰは以下の構成を有することもできる。
【０２６１】
入出力装置５００ＴＰは、駆動回路６０３ｇ又は駆動回路６０３ｄを有してもよい。また
、入出力装置５００ＴＰ（又は駆動回路）は、ＦＰＣ１と電気的に接続されてもよい。
【０２６２】
駆動回路６０３ｇは例えば所定のタイミングで選択信号を供給することができる。具体的
には、選択信号を選択信号線Ｇ１ごとに所定の順番で供給する。また、さまざまな回路を
駆動回路６０３ｇに用いることができる。例えば、シフトレジスタ、フリップフロップ回
路、組み合わせ回路などを用いることができる。
【０２６３】
駆動回路６０３ｄは、検知ユニット６０２が供給する検知信号に基づいて検知情報を供給
する。また、さまざまな回路を駆動回路６０３ｄに用いることができる。例えば、検知ユ
ニットに配設された検知回路と電気的に接続されることによりソースフォロワ回路やカレ
ントミラー回路を構成することができる回路を、駆動回路６０３ｄに用いることができる
。また、検知信号をデジタル信号に変換するアナログデジタル変換回路を有していてもよ
い。
【０２６４】
ＦＰＣ１は、タイミング信号、電源電位等を供給し、検知信号を供給される。
【０２６５】
入出力装置５００ＴＰは、駆動回路５０３ｇ、駆動回路５０３ｓ、配線３１１、又は端子
３１９を有してもよい。また、入出力装置５００ＴＰ（又は駆動回路）は、ＦＰＣ２と電
気的に接続されてもよい。
【０２６６】
また、傷の発生を防いで入出力装置５００ＴＰを保護する保護層６７０を有していてもよ
い。例えば、セラミックコート層又はハードコート層を保護層６７０に用いることができ
る。具体的には、酸化アルミニウムを含む層又はＵＶ硬化樹脂を用いることができる。
【０２６７】
なお、半透過型液晶ディスプレイや反射型液晶ディスプレイを実現する場合には、画素電
極の一部、又は、全部が、反射電極としての機能を有するようにすればよい。例えば、画
素電極の一部、又は、全部が、アルミニウム、銀、などを有するようにすればよい。
【０２６８】
また、反射電極の下に、ＳＲＡＭなどの記憶回路を設けることも可能である。これにより
、さらに、消費電力を低減することができる。また、適用する表示素子に好適な構成を様
々な画素回路から選択して用いることができる。
【０２６９】
本実施の形態は、他の実施の形態と適宜組み合わせることができる。
【０２７０】
（実施の形態３）
本実施の形態では、本発明の一態様の電子機器及び照明装置について、図面を用いて説明
する。
【０２７１】
本発明の一態様を適用することで、電子機器や照明装置の軽量化、薄型化、フレキシブル
化を実現できる。例えば、実施の形態１に示した発光装置（発光素子を用いた表示装置も
含む）や実施の形態２に示した入出力装置は、電子機器におけるフレキシブルな表示部や
、照明装置におけるフレキシブルな発光部に適用できる。
【０２７２】
電子機器としては、例えば、テレビジョン装置（テレビ、又はテレビジョン受信機ともい
う）、コンピュータ用などのモニタ、デジタルカメラ、デジタルビデオカメラ等のカメラ
、デジタルフォトフレーム、携帯電話機（携帯電話、携帯電話装置ともいう）、携帯型ゲ
ーム機、携帯情報端末、音響再生装置、パチンコ機などの大型ゲーム機などが挙げられる
。
【０２７３】
また、本発明の一態様の電子機器又は照明装置は可撓性を有するため、家屋やビルの内壁
もしくは外壁、又は、自動車の内装もしくは外装の曲面に沿って組み込むことも可能であ
る。
【０２７４】
また、本発明の一態様の電子機器は、発光装置もしくは入出力装置と、二次電池と、を有
していてもよい。このとき、非接触電力伝送を用いて、二次電池を充電することができる
と好ましい。
【０２７５】
二次電池としては、例えば、ゲル状電解質を用いるリチウムポリマー電池（リチウムイオ
ンポリマー電池）等のリチウムイオン二次電池、ニッケル水素電池、ニカド電池、有機ラ
ジカル電池、鉛蓄電池、空気二次電池、ニッケル亜鉛電池、銀亜鉛電池などが挙げられる
。
【０２７６】
本発明の一態様の電子機器は、発光装置もしくは入出力装置と、アンテナと、二次電池と
、を有していてもよい。アンテナで信号を受信することで、表示部で映像や情報等の表示
を行うことができる。また、電子機器が二次電池を有する場合、アンテナを、非接触電力
伝送に用いてもよい。
【０２７７】
図１０（Ａ）は、携帯電話機の一例を示している。携帯電話機７４００は、筐体７４０１
に組み込まれた表示部７４０２のほか、操作ボタン７４０３、外部接続ポート７４０４、
スピーカ７４０５、マイク７４０６などを備えている。なお、携帯電話機７４００は、本
発明の一態様の発光装置もしくは入出力装置を表示部７４０２に用いることにより作製さ
れる。本発明の一態様により、湾曲した表示部を備え、且つ信頼性の高い携帯電話機を歩
留まりよく提供できる。
【０２７８】
図１０（Ａ）に示す携帯電話機７４００は、指などで表示部７４０２に触れることで、情
報を入力することができる。また、電話を掛ける、或いは文字を入力するなどのあらゆる
操作は、指などで表示部７４０２に触れることにより行うことができる。
【０２７９】
また、操作ボタン７４０３の操作により、電源のＯＮ、ＯＦＦ動作や、表示部７４０２に
表示される画像の種類を切り替えることができる。例えば、メール作成画面から、メイン
メニュー画面に切り替えることができる。
【０２８０】
図１０（Ｂ）は、腕時計型の携帯情報端末の一例を示している。携帯情報端末７１００は
、筐体７１０１、表示部７１０２、バンド７１０３、バックル７１０４、操作ボタン７１
０５、入出力端子７１０６などを備える。
【０２８１】
携帯情報端末７１００は、移動電話、電子メール、文章閲覧及び作成、音楽再生、インタ
ーネット通信、コンピュータゲームなどの種々のアプリケーションを実行することができ
る。
【０２８２】
表示部７１０２はその表示面が湾曲して設けられ、湾曲した表示面に沿って表示を行うこ
とができる。また、表示部７１０２はタッチセンサを備え、指やスタイラスなどで画面に
触れることで操作することができる。例えば、表示部７１０２に表示されたアイコン７１
０７に触れることで、アプリケーションを起動することができる。
【０２８３】
操作ボタン７１０５は、時刻設定のほか、電源のオン、オフ動作、無線通信のオン、オフ
動作、マナーモードの実行及び解除、省電力モードの実行及び解除など、様々な機能を持
たせることができる。例えば、携帯情報端末７１００に組み込まれたオペレーティングシ
ステムにより、操作ボタン７１０５の機能を自由に設定することもできる。
【０２８４】
また、携帯情報端末７１００は、通信規格された近距離無線通信を実行することが可能で
ある。例えば無線通信可能なヘッドセットと相互通信することによって、ハンズフリーで
通話することもできる。
【０２８５】
また、携帯情報端末７１００は入出力端子７１０６を備え、他の情報端末とコネクターを
介して直接データのやりとりを行うことができる。また入出力端子７１０６を介して充電
を行うこともできる。なお、充電動作は入出力端子７１０６を介さずに無線給電により行
ってもよい。
【０２８６】
携帯情報端末７１００の表示部７１０２には、本発明の一態様の発光装置もしくは入出力
装置が組み込まれている。本発明の一態様により、湾曲した表示部を備え、且つ信頼性の
高い携帯情報端末を歩留まりよく提供できる。
【０２８７】
図１０（Ｃ）〜（Ｅ）は、照明装置の一例を示している。照明装置７２００、照明装置７
２１０、及び照明装置７２２０は、それぞれ、操作スイッチ７２０３を備える台部７２０
１と、台部７２０１に支持される発光部を有する。
【０２８８】
図１０（Ｃ）に示す照明装置７２００は、波状の発光面を有する発光部７２０２を備える
。したがってデザイン性の高い照明装置となっている。
【０２８９】
図１０（Ｄ）に示す照明装置７２１０の備える発光部７２１２は、凸状に湾曲した２つの
発光部が対称的に配置された構成となっている。したがって照明装置７２１０を中心に全
方位を照らすことができる。
【０２９０】
図１０（Ｅ）に示す照明装置７２２０は、凹状に湾曲した発光部７２２２を備える。した
がって、発光部７２２２からの発光を、照明装置７２２０の前面に集光するため、特定の
範囲を明るく照らす場合に適している。
【０２９１】
また、照明装置７２００、照明装置７２１０及び照明装置７２２０の備える各々の発光部
はフレキシブル性を有しているため、発光部を可塑性の部材や可動なフレームなどの部材
で固定し、用途に合わせて発光部の発光面を自在に湾曲可能な構成としてもよい。
【０２９２】
なおここでは、台部によって発光部が支持された照明装置について例示したが、発光部を
備える筐体を天井に固定する、又は天井からつり下げるように用いることもできる。発光
面を湾曲させて用いることができるため、発光面を凹状に湾曲させて特定の領域を明るく
照らす、又は発光面を凸状に湾曲させて部屋全体を明るく照らすこともできる。
【０２９３】
ここで、各発光部には、本発明の一態様の発光装置もしくは入出力装置が組み込まれてい
る。本発明の一態様により、湾曲した発光部を備え、且つ信頼性の高い照明装置を歩留ま
りよく提供できる。
【０２９４】
図１０（Ｆ）には、携帯型の表示装置の一例を示している。表示装置７３００は、筐体７
３０１、表示部７３０２、操作ボタン７３０３、引き出し部材７３０４、制御部７３０５
を備える。
【０２９５】
表示装置７３００は、筒状の筐体７３０１内にロール状に巻かれたフレキシブルな表示部
７３０２を備える。
【０２９６】
また、表示装置７３００は制御部７３０５によって映像信号を受信可能で、受信した映像
を表示部７３０２に表示することができる。また、制御部７３０５にはバッテリをそなえ
る。また、制御部７３０５にコネクターを接続する端子部を備え、映像信号や電力を有線
により外部から直接供給する構成としてもよい。
【０２９７】
また、操作ボタン７３０３によって、電源のＯＮ、ＯＦＦ動作や表示する映像の切り替え
等を行うことができる。
【０２９８】
図１０（Ｇ）には、表示部７３０２を引き出し部材７３０４により引き出した状態の表示
装置７３００を示す。この状態で表示部７３０２に映像を表示することができる。また、
筐体７３０１の表面に配置された操作ボタン７３０３によって、片手で容易に操作するこ
とができる。また、図１０（Ｆ）のように操作ボタン７３０３を筐体７３０１の中央でな
く片側に寄せて配置することで、片手で容易に操作することができる。
【０２９９】
なお、表示部７３０２を引き出した際に表示部７３０２の表示面が平面状となるように固
定するため、表示部７３０２の側部に補強のためのフレームを設けていてもよい。
【０３００】
なお、この構成以外に、筐体にスピーカを設け、映像信号と共に受信した音声信号によっ
て音声を出力する構成としてもよい。
【０３０１】
表示部７３０２には、本発明の一態様の発光装置もしくは入出力装置が組み込まれている
。本発明の一態様により、軽量で、且つ信頼性の高い表示装置を歩留まりよく提供できる
。
【０３０２】
また、図１０（Ｈ）〜（Ｋ）に、可撓性を有する携帯情報端末７２３０を示す。携帯情報
端末７２３０は、筐体７２３１、表示部７２３２を有する。さらに、入力手段であるボタ
ン７２３３ａ、７２３３ｂ、音声出力手段であるスピーカ７２３４ａ、７２３４ｂ、振動
手段である振動モータ７２３５ａ、７２３５ｂ等を有していてもよい。
【０３０３】
表示部７２３２には、本発明の一態様の発光装置もしくは入出力装置が組み込まれている
。
【０３０４】
表示部７２３２及び筐体７２３１は可撓性を有する。そのため、携帯情報端末７２３０を
所望の形状に湾曲させることや、携帯情報端末７２３０に捻りを加えることが容易である
。例えば、携帯情報端末７２３０の長辺と垂直な方向に沿って表示部７２３２が凹状にな
るように湾曲させる（図１０（Ｉ））、又は凸状になるように湾曲させる（図１０（Ｊ）
）こともできる。また、図１０（Ｋ）に示すように携帯情報端末７２３０の長辺と平行な
方向に沿って表示部７２３２を湾曲させることもできる。
【０３０５】
図１１（Ａ）〜（Ｃ）に、折りたたみ可能な携帯情報端末３１０を示す。図１１（Ａ）に
展開した状態の携帯情報端末３１０を示す。図１１（Ｂ）に展開した状態又は折りたたん
だ状態の一方から他方に変化する途中の状態の携帯情報端末３１０を示す。図１１（Ｃ）
に折りたたんだ状態の携帯情報端末３１０を示す。携帯情報端末３１０は、折りたたんだ
状態では可搬性に優れ、展開した状態では、継ぎ目のない広い表示領域により一覧性に優
れる。
【０３０６】
表示パネル３１２はヒンジ３１３によって連結された３つの筐体３１５に支持されている
。ヒンジ３１３を介して２つの筐体３１５間を屈曲させることにより、携帯情報端末３１
０を展開した状態から折りたたんだ状態に可逆的に変形させることができる。本発明の一
態様の発光装置もしくは入出力装置を表示パネル３１２に用いることができる。例えば、
曲率半径０．０１ｍｍ以上１５０ｍｍ以下で曲げることができる発光装置もしくは入出力
装置を適用できる。
【０３０７】
図１１（Ｄ）、（Ｅ）に、折りたたみ可能な携帯情報端末３２０を示す。図１１（Ｄ）に
表示部３２２が外側になるように折りたたんだ状態の携帯情報端末３２０を示す。図１１
（Ｅ）に、表示部３２２が内側になるように折りたたんだ状態の携帯情報端末３２０を示
す。携帯情報端末３２０を使用しない際に、非表示部３２５を外側に折りたたむことで、
表示部３２２の汚れや傷つきを抑制できる。本発明の一態様の発光装置もしくは入出力装
置を表示部３２２に用いることができる。
【０３０８】
図１１（Ｆ）は携帯情報端末３３０の外形を説明する斜視図である。図１１（Ｇ）は、携
帯情報端末３３０の上面図である。図１１（Ｈ）は携帯情報端末３４０の外形を説明する
斜視図である。
【０３０９】
携帯情報端末３３０、３４０は、例えば電話機、手帳又は情報閲覧装置等から選ばれた一
つ又は複数の機能を有する。具体的には、スマートフォンとしてそれぞれ用いることがで
きる。
【０３１０】
携帯情報端末３３０、３４０は、文字や画像情報をその複数の面に表示することができる
。例えば、３つの操作ボタン３３９を一の面に表示することができる（図１１（Ｆ）、（
Ｈ））。また、破線の矩形で示す情報３３７を他の面に表示することができる（図１１（
Ｇ）、（Ｈ））。なお、情報３３７の例としては、ＳＮＳ（ソーシャル・ネットワーキン
グ・サービス）の通知、電子メールや電話などの着信を知らせる表示、電子メールなどの
題名又は送信者名、日時、時刻、バッテリの残量、アンテナ受信の強度などがある。また
は、情報３３７が表示されている位置に、情報３３７の代わりに、操作ボタン３３９、ア
イコンなどを表示してもよい。なお、図１１（Ｆ）、（Ｇ）では、上側に情報３３７が表
示される例を示したが、本発明の一態様は、これに限定されない。例えば、図１１（Ｈ）
に示す携帯情報端末３４０のように、横側に表示されていてもよい。
【０３１１】
例えば、携帯情報端末３３０の使用者は、洋服の胸ポケットに携帯情報端末３３０を収納
した状態で、その表示（ここでは情報３３７）を確認することができる。
【０３１２】
具体的には、着信した電話の発信者の電話番号又は氏名等を、携帯情報端末３３０の上方
から観察できる位置に表示する。使用者は、携帯情報端末３３０をポケットから取り出す
ことなく、表示を確認し、電話を受けるか否かを判断できる。
【０３１３】
携帯情報端末３３０の筐体３３５、携帯情報端末３４０の筐体３３６がそれぞれ有する表
示部３３３には、本発明の一態様の発光装置もしくは入出力装置を用いることができる。
本発明の一態様により、湾曲した表示部を備え、且つ信頼性の高い携帯情報端末を歩留ま
りよく提供できる。
【０３１４】
また、図１１（Ｉ）に示す携帯情報端末３４５のように、３面以上に情報を表示してもよ
い。ここでは、情報３５５、情報３５６、情報３５７がそれぞれ異なる面に表示されてい
る例を示す。
【０３１５】
携帯情報端末３４５の筐体３５１が有する表示部３５８には、本発明の一態様の発光装置
もしくは入出力装置を用いることができる。本発明の一態様により、湾曲した表示部を備
え、且つ信頼性の高い携帯情報端末を歩留まりよく提供できる。
【０３１６】
本実施の形態は、他の実施の形態と適宜組み合わせることができる。
【符号の説明】
【０３１７】
１０１    基板
１０３    接着層
１０５    絶縁層
１０６    素子層
１０６ａ    素子層
１０６ｂ    機能層
１０７    接着層
１１１    基板
１１３    接着層
１１５    絶縁層
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１０    携帯情報端末
３１１    配線
３１２    表示パネル
３１３    ヒンジ
３１５    筐体
３１９    端子
３２０    携帯情報端末
３２１    絶縁層
３２２    表示部
３２５    非表示部
３２８    隔壁
３２９    スペーサ
３３０    携帯情報端末
３３３    表示部
３３５    筐体
３３６    筐体
３３７    情報
３３９    操作ボタン
３４０    携帯情報端末
３４５    携帯情報端末
３５０Ｒ    発光素子
３５１    筐体
３５１Ｒ    下部電極
３５２    上部電極
３５３    ＥＬ層
３５３ａ    ＥＬ層
３５３ｂ    ＥＬ層
３５４    中間層
３５５    情報
３５６    情報
３５７    情報
３５８    表示部
３６０    接着層
３６７Ｂ    着色層
３６７ＢＭ    遮光層
３６７Ｇ    着色層
３６７ｐ    反射防止層
３６７Ｒ    着色層
３８０Ｂ    発光モジュール
３８０Ｇ    発光モジュール
３８０Ｒ    発光モジュール
３９０    入出力装置
５００    表示部
５００ＴＰ    入出力装置
５０１    表示部
５０３ｇ    駆動回路
５０３ｓ    駆動回路
５０５    入出力装置
５０５Ｂ    入出力装置
５０９    ＦＰＣ
５９０    基板
５９１    電極
５９２    電極
５９３    絶縁層
５９４    配線
５９５    タッチセンサ
５９７    接着層
５９８    配線
５９９    接続層
６００    入力部
６０２    検知ユニット
６０３ｄ    駆動回路
６０３ｇ    駆動回路
６５０    容量素子
６５１    電極
６５２    電極
６５３    絶縁層
６６７    窓部
６７０    保護層
８０４    発光部
８０６    駆動回路部
８０８    ＦＰＣ
８１４    導電層
８１５    絶縁層
８１７    絶縁層
８１７ａ    絶縁層
８１７ｂ    絶縁層
８２０    トランジスタ
８２１    絶縁層
８２２    接着層
８２３    スペーサ
８２４    トランジスタ
８２５    接続体
８３０    発光素子
８３１    下部電極
８３２    光学調整層
８３３    ＥＬ層
８３５    上部電極
８４５    着色層
８４７    遮光層
８４９    オーバーコート
８５６    導電層
８５７    導電層
８５７ａ    導電層
８５７ｂ    導電層
７１００    携帯情報端末
７１０１    筐体
７１０２    表示部
７１０３    バンド
７１０４    バックル
７１０５    操作ボタン
７１０６    入出力端子
７１０７    アイコン
７２００    照明装置
７２０１    台部
７２０２    発光部
７２０３    操作スイッチ
７２１０    照明装置
７２１２    発光部
７２２０    照明装置
７２２２    発光部
７２３０    携帯情報端末
７２３１    筐体
７２３２    表示部
７２３３ａ    ボタン
７２３３ｂ    ボタン
７２３４ａ    スピーカ
７２３４ｂ    スピーカ
７２３５ａ    振動モータ
７２３５ｂ    振動モータ
７３００    表示装置
７３０１    筐体
７３０２    表示部
７３０３    操作ボタン
７３０４    部材
７３０５    制御部
７４００    携帯電話機
７４０１    筐体
７４０２    表示部
７４０３    操作ボタン
７４０４    外部接続ポート
７４０５    スピーカ
７４０６    マイク
【図１】
2020160473.tif 000003
【図２】
2020160473.tif 000004
【図３】
2020160473.tif 000005
【図４】
2020160473.tif 000006
【図５】
2020160473.tif 000007
【図６】
2020160473.tif 000008
【図７】
2020160473.tif 000009
【図８】
2020160473.tif 000010
【図９】
2020160473.tif 000011
【図１０】
2020160473.tif 000012
【図１１】
2020160473.tif 000013